(57)【特許請求の範囲】
【請求項１】
信号送信方法であって、
端末デバイスによって、送信されるべきデータとアップリンク制御情報とを取得するステップと、
前記端末デバイスによって、表６または表７に基づいて前記アップリンク制御情報を符号化するステップであって、前記アップリンク制御情報はハイブリッド自動再送要求（ＨＡＲＱ−ＡＣＫ）を備える、符号化するステップと、
前記端末デバイスによって、前記データのための変調方式と前記アップリンク制御情報のための変調方式とに基づいて前記データと前記アップリンク制御情報とを変調するステップと、
物理アップリンク共有チャネル上で前記変調されたデータと前記変調されたアップリンク制御情報とを送信するステップとを備え、
【表１】
0006985422.tif 000013
【表２】
0006985422.tif 000014
変調次数Ｑm１、２、４、および６は、それぞれ、変調方式  π／２  ２位相シフトキーイング（π／２−ＢＰＳＫ）、４位相シフトキーイング（ＱＰＳＫ）、１６直交振幅変調（１６ＱＡＭ）、および６４ＱＡＭに対応し、
【数１】
0006985422.tif 000015
は、前記１ビットのアップリンク制御情報のビットを示し、
【数２】
0006985422.tif 000016
および
【数３】
0006985422.tif 000017
は、前記２ビットのアップリンク制御情報のビットを示し、
【数４】
0006985422.tif 000018
であり、ｙとｘとはプレースホルダである、
信号送信方法。
【請求項２】
前記データが前記π／２−ＢＰＳＫの方式で変調されるとき、前記アップリンク制御情報のための前記変調方式は、前記π／２−ＢＰＳＫである請求項１に記載の方法。
【請求項３】
前記データが前記１６ＱＡＭまたは６４ＱＡＭの方式で変調されるとき、前記アップリンク制御情報のための前記変調方式は、前記ＱＰＳＫである請求項１または２に記載の方法。
【請求項４】
前記ＨＡＲＱ−ＡＣＫ以外の制御情報のための変調方式は、前記データのための前記変調方式と同じである請求項３に記載の方法。
【請求項５】
信号送信方法であって、
ネットワークデバイスによって、端末デバイスによって送られた変調されたデータとアップリンク制御情報とを受信するステップであって、前記アップリンク制御情報はハイブリッド自動再送要求（ＨＡＲＱ−ＡＣＫ）を備える、ステップと、
前記ネットワークデバイスによって、前記データのための変調方式と前記アップリンク制御情報のための変調方式とに基づいて前記データと前記アップリンク制御情報とを復調するステップと、
前記ネットワークデバイスによって、表６または表７に基づいて前記復調されたアップリンク制御情報を復号するステップと備え、
【表３】
0006985422.tif 000019
【表４】
0006985422.tif 000020
変調次数Ｑm１、２、４、および６は、それぞれ、変調方式  π／２  ２位相シフトキーイング（π／２−ＢＰＳＫ）、４位相シフトキーイング（ＱＰＳＫ）、１６直交振幅変調（１６ＱＡＭ）、および６４ＱＡＭに対応し、
【数５】
0006985422.tif 000021
は、前記１ビットのＵＣＩのビットを示し、
【数６】
0006985422.tif 000022
および
【数７】
0006985422.tif 000023
は、前記２ビットのＵＣＩのビットを示し、
【数８】
0006985422.tif 000024
であり、ｙとｘとはプレースホルダである、
信号送信方法。
【請求項６】
前記データがπ／２−ＢＰＳＫの方式で変調されるとき、前記アップリンク制御情報のための前記変調方式は、前記π／２−ＢＰＳＫである請求項５に記載の方法。
【請求項７】
前記データが前記１６ＱＡＭまたは前記６４ＱＡＭの方式で変調されるとき、前記アップリンク制御情報のための前記変調方式は、前記ＱＰＳＫである請求項５または６に記載の方法。
【請求項８】
前記ＨＡＲＱ−ＡＣＫ以外の制御情報のための変調方式は、前記データのための前記変調方式と同じである請求項７に記載の方法。
【請求項９】
メモリと、トランシーバと、少なくとも１つのプロセッサとを備える端末デバイスであって、前記メモリは、命令を記憶し、前記メモリと、前記トランシーバと、前記少なくとも１つのプロセッサとは、回線を使用することによって相互接続され、
前記少なくとも１つのプロセッサは、前記メモリによって与えられた前記命令とデータとに基づいて
送信されるべきデータとアップリンク制御情報とを取得し、
表６または表７に基づいて前記アップリンク制御情報を符号化し、前記アップリンク制御情報はハイブリッド自動再送要求（ＨＡＲＱ−ＡＣＫ）を備え、
前記データのための変調方式と前記アップリンク制御情報のための変調方式とに基づいて前記データと前記アップリンク制御情報とを変調する、信号処理または制御動作を実行するように構成され、
前記トランシーバは、物理アップリンク共有チャネル上で前記変調されたデータと前記変調されたアップリンク制御情報とを送信するように構成され、
【表５】
0006985422.tif 000025
【表６】
0006985422.tif 000026
変調次数Ｑm１、２、４、および６は、それぞれ、変調方式  π／２  ２位相シフトキーイング（π／２−ＢＰＳＫ、）、４位相シフトキーイング（ＱＰＳＫ）、１６直交振幅変調（１６ＱＡＭ）、および６４ＱＡＭに対応し、
【数９】
0006985422.tif 000027
は、前記１ビットのアップリンク制御情報のビットを示し、
【数１０】
0006985422.tif 000028
および
【数１１】
0006985422.tif 000029
は、前記２ビットのアップリンク制御情報のビットを示し、
【数１２】
0006985422.tif 000030
であり、ｙとｘとはプレースホルダである、端末デバイス。
【請求項１０】
前記データが前記π／２−ＢＰＳＫの方式で変調されるとき、前記アップリンク制御情報のための前記変調方式は、前記π／２−ＢＰＳＫである請求項９に記載の端末デバイス。
【請求項１１】
前記データが前記１６ＱＡＭまたは６４ＱＡＭの方式で変調されるとき、前記アップリンク制御情報のための前記変調方式は、前記ＱＰＳＫである請求項９または１０に記載の端末デバイス。
【請求項１２】
前記ＨＡＲＱ−ＡＣＫ以外の制御情報のための変調方式は、前記データのための前記変調方式と同じである請求項１１に記載の端末デバイス。
【請求項１３】
メモリと、トランシーバと、少なくとも１つのプロセッサとを備えるネットワークデバイスであって、前記メモリは、命令を記憶し、前記メモリと、前記トランシーバと、前記少なくとも１つのプロセッサとは、回線を使用することによって相互接続され、
前記トランシーバは、端末デバイスによって送られた変調されたデータとアップリンク制御情報とを受信し、前記アップリンク制御情報はハイブリッド自動再送要求ＨＡＲＱ−ＡＣＫを備える、ように構成され、
前記少なくとも１つのプロセッサは、前記メモリによって与えられた前記命令と前記データとに基づいて
前記データのための変調方式と前記アップリンク制御情報のための変調方式とに基づいて前記データと前記アップリンク制御情報とを復調し、
表６または表７に基づいて前記復調されたアップリンク制御情報を復号する、信号処理または制御動作を実行するように構成され、
【表７】
0006985422.tif 000031
【表８】
0006985422.tif 000032
変調次数Ｑm１、２、４、および６は、それぞれ、変調方式  π／２  ２位相シフトキーイング（π／２−ＢＰＳＫ）、４位相シフトキーイング（ＱＰＳＫ）、１６直交振幅変調（１６ＱＡＭ）、および６４ＱＡＭに対応し、
【数１３】
0006985422.tif 000033
は、前記１ビットのアップリンク制御情報のビットを示し、
【数１４】
0006985422.tif 000034
および
【数１５】
0006985422.tif 000035
は、前記２ビットのアップリンク制御情報のビットを示し、
【数１６】
0006985422.tif 000036
であり、ｙとｘとはプレースホルダである、
ネットワークデバイス。
【請求項１４】
前記データがπ／２−ＢＰＳＫの方式で変調されるとき、前記アップリンク制御情報のための前記変調方式は、前記π／２−ＢＰＳＫである請求項１３に記載のネットワークデバイス。
【請求項１５】
前記データが前記１６ＱＡＭまたは前記６４ＱＡＭの方式で変調されるとき、前記アップリンク制御情報のための前記変調方式は、前記ＱＰＳＫである請求項１３または１４に記載のネットワークデバイス。
【請求項１６】
前記ＨＡＲＱ−ＡＣＫ以外の制御情報のための変調方式は、前記データのための前記変調方式と同じである請求項１５に記載のネットワークデバイス。
【請求項１７】
コンピュータ可読記憶媒体であって、前記コンピュータ可読記憶媒体は命令を記憶し、前記命令がコンピュータで実行されると、前記コンピュータは請求項１ないし４のいずれか一項に記載の方法を実行することが可能になる、コンピュータ可読記憶媒体。
【請求項１８】
コンピュータ可読記憶媒体であって、前記コンピュータ可読記憶媒体は命令を記憶し、前記命令がコンピュータで実行されると、前記コンピュータは請求項５ないし８のいずれか１項に記載の方法を実行することが可能になる、コンピュータ可読記憶媒体。
【発明の詳細な説明】
【技術分野】
【０００１】
本出願は、通信技術の分野に関し、詳細には、信号送信の方法、デバイス、およびシステムに関する。
【背景技術】
【０００２】
本出願は、その全体が参照により本明細書に組み込まれる、２０１７年８月２５日に中国特許庁に出願された「ＳＩＧＮＡＬ  ＴＲＡＮＳＭＩＳＳＩＯＮ  ＭＥＴＨＯＤ，  ＤＥＶＩＣＥ，  ＡＮＤ  ＳＹＳＴＥＭ」と題する中国特許出願第２０１７１０７４０９８８．９号の優先権を主張する。
【０００３】
直交周波数分割多重（ＯＦＤＭ）および離散フーリエ変換拡散直交周波数分割多重（ＤＦＴ−ｓ−ＯＦＤＭ）は、ワイヤレス通信における２つの典型的な波形である。
【０００４】
ＯＦＤＭは、マルチキャリア波形であり、強い耐マルチパス能力およびフレキシブルな周波数分割多重化モードなどの利点を有する。ただし、ＯＦＤＭの欠点は、極端に高いピーク対平均電力比（ＰＡＰＲ）である。ＤＦＴ−ｓ−ＯＦＤＭは、ＯＦＤＭの逆高速フーリエ変換（ＩＦＦＴ）の前に広まった離散フーリエ変換（ＤＦＴ）を組み込み、ＯＦＤＭの複数の利点を継承しながらＯＦＤＭのＰＡＰＲよりもはるかに低いＰＡＰＲを与える。ＤＦＴ−ｓ−ＯＦＤＭがＯＦＤＭのサブキャリア処理プロシージャを組み込むが、ＤＦＴ−ｓ−ＯＦＤＭは本質的にシングルキャリア波形である。
【０００５】
現在、新世代のワイヤレス通信規格である新無線（ＮＲ）のアップリンクではＯＦＤＭ波形とＤＦＴ−ｓ−ＯＦＤＭ波形との両方が使用される。ＯＦＤＭ波形は、高い信号対雑音比のシナリオでより高い容量を与えることができ、セルの中央のユーザに適用可能である。しかしながら、ＤＦＴ−ｓ−ＯＦＤＭ波形は、低いＰＡＰＲが特徴であり、電力増幅器の出力電力を増加することができ、したがって、より大きいカバレージエリアを与えることができ、限定されたカバレージをもつセルの端部のユーザに適用可能である。端末デバイスは、ＯＦＤＭ波形とＤＦＴ−ｓ−ＯＦＤＭ波形との両方をサポートし、ネットワーク側は、各送信中に使用される波形を決定する。
【０００６】
カバレージをさらに改善するために、送信のためにＤＦＴ−ｓ−ＯＦＤＭが使用されるとき、ＮＲシステムは、π／２  ２位相シフトキーイング（ＢＰＳＫ）および周波数領域スペクトル整形（ＦＤＳＳ）技術をサポートする。π／２  ＢＰＳＫ変調は、独立して使用され得るか、またはＦＤＳＳとともに使用され得る。２つの解決策が使用されるとき、信号ＰＡＰＲがさらに低減され、それにより電力増幅器の効率が改善するか、または送信電力が増加する。
【０００７】
ロングタームエボリューション（ＬＴＥ）システムでは、アップリンクデータは、物理アップリンク共有チャネル（ＰＵＳＣＨ）を通して送られ、アップリンク制御情報（ＵＣＩ）は、通常、物理アップリンク制御チャネル（ＰＵＣＣＨ））を通して送られる。ＤＦＴ−ｓ−ＯＦＤＭの低いＰＡＰＲ特徴を保持するために、データは、ＰＵＣＣＨとＰＵＳＣＨとを通して同時に送信されることができない。したがって、ＬＴＥでは、アップリンクデータとＵＣＩとが同時に送信される必要があるとき、ＵＣＩは、ＰＵＳＣＨにマッピングされ、次いで、アップリンクデータと一緒に送信され得る。ただし、この送信モードは、アップリンクデータの送信パフォーマンスを劣化させる。ＰＡＰＲは、アップリンクデータが、ＮＲネットワーク中で送信される復調基準信号（ＤＭＲＳ）などのいくつかの基準信号と一緒にＰＵＳＣＨチャネル上で送信されるときに増加する。
【発明の概要】
【０００８】
アップリンクデータが復調基準信号またはアップリンク制御情報とともに物理アップリンク共有チャネル上で送信されるときにアップリンクデータのパフォーマンスが影響を及ぼされるという従来技術の問題を解決するために、本出願の実施形態は信号送信方法を提供し、それにより、アップリンクデータが復調基準信号とともに物理アップリンク共有信号上で送信されるときにアップリンクデータのＰＡＰＲが増加しないことを保証し、アップリンクデータがアップリンク制御情報とともに物理アップリンク共有信号上で送信されるときに復調のパフォーマンスを改善する。本出願の実施形態は、対応するデバイスと、チップシステムと、コンピュータ可読記憶媒体と、信号送信システムとをさらに提供する。
【０００９】
本出願の第１の態様によれば、信号送信方法であって、端末デバイスによって、送信されるべきデータと、アップリンク制御情報と、復調基準信号とを取得するステップであって、送信されるべきデータとアップリンク制御情報とは、ビットデータストリームであり得、端末デバイスは、モバイルフォン、タブレットコンピュータ、またはウォッチフォンなどのデバイスであり得、送信されるべきデータはアップリンクデータであり、アップリンク制御情報ＵＣＩは、チャネル品質指示（ＣＱＩ）と、プリコーディング行列インジケータ（ＰＭＩ）と、チャネル状態情報（ＣＳＩ）と、チャネル状態情報基準信号リソース指示（ＣＲＩ）と、ランクインジケータ（ＲＩ）と、ハイブリッド自動再送要求（ＨＡＲＱ）指示とを含み得、もちろん、ＵＣＩは、本明細書に記載するいくつかのタイプの情報に限定されず、代替的に、アップリンク制御のために使用される他の情報であり得る、取得するステップと、端末デバイスによって、多重化されたシンボルを生成するために送信されるべきデータと、アップリンク制御情報と、復調基準信号とをマッピングするステップであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、マッピングするステップと、端末デバイスによって、物理アップリンク共有チャネル上で多重化されたシンボルを送信するステップとを含む信号送信方法を提供する。さらに、第１の態様では、マッピングルールは、一部のＵＣＩのために使用され得、たとえば、マッピングルールは、ＵＣＩ中のＨＡＲＱ指示とＲＩとのために使用され、マッピングルールは、他のＵＣＩのために使用されることも使用されないこともある。ＵＣＩがマッピングされる多重化されたシンボルとＤＭＲＳがマッピングされる多重化されたシンボルとの間のロケーション関係がマッピング条件を満たす必要があることが第１の態様からわかり得る。このようにして、ＵＣＩ復調のパフォーマンスが改善され得る。
【００１０】
第１の態様に関して、第１の可能な実装では、Ｎ個の第１の多重化されたシンボルの各々と第２の多重化されたシンボルとの間のロケーション関係がマッピング条件を満たすことは、Ｎ個の第１の多重化されたシンボルは、第２の多重化されたシンボルに最も近い多重化されたシンボルであることを含む。第１の態様の第１の可能な実装では、ＵＣＩがマッピングされる多重化されたシンボルは、ＤＭＲＳがマッピングされる多重化されたシンボルの片側または両側に位置し、ＤＭＲＳがマッピングされる多重化されたシンボルに最も近い多重化されたシンボルである。たとえば、ＤＭＲＳは、第３の多重化されたシンボルにマッピングされる。Ｎ＝２であり、第１の多重化されたシンボルが、第２の多重化されたシンボルの両側に位置する場合、第１の多重化されたシンボルは、第２および第４の多重化されたシンボルであり、または第１の多重化されたシンボルが第２の多重化されたシンボルの片側に位置する場合、第１の多重化されたシンボルは、第４の多重化されたシンボルと第５の多重化されたシンボルとであり得るか、もしくはもちろん、第１の多重化されたシンボルと第２の多重化されたシンボルとであり得る。ＵＣＩがマッピングされる多重化されたシンボルは、ＤＭＲＳがマッピングされる多重化されたシンボルの近くにあることがわかり得る。これは、ＵＣＩを迅速に復調するのを助け、それにより、ＵＣＩ復調のパフォーマンスを改善する。
【００１１】
第１の態様または第１の態様の第１の可能な実装に関して、第２の可能な実装では、本方法は、端末デバイスによって、位相トラッキング基準信号（ＰＴＲＳ）を取得するステップであって、位相トラッキング信号は、多重化されたシンボルにさらにマッピングされ、Ｎ個の第１の多重化されたシンボルの各々と第２の多重化されたシンボルとの間のロケーション関係がマッピング条件を満たすことは、Ｎ個の第１の多重化されたシンボルは、位相トラッキング信号がマッピングされ、第２の多重化されたシンボルに最も近い多重化されたシンボルであることを含む、取得するステップをさらに含む。第１の態様の第２の可能な実装では、ＰＴＲＳが多重化されたシンボルにさらにマッピングされるとき、ＵＣＩを、ＰＴＲＳを含む多重化されたシンボルにマッピングする必要があり、ＵＣＩをマッピングする必要がある多重化されたシンボルは、ＤＭＲＳがマッピングされる多重化されたシンボルに最も近い必要がある。もちろん、ＵＣＩとＰＴＲＳとをマッピングするためのマッピングシーケンスは、本出願のこの実施形態に限定されない。多重化されたシンボル中で、ＰＴＲＳをマッピングする必要がある変調されたシンボルが最初に決定され得、次いで、変調されたシンボルが予約され、次いで、ＵＣＩが多重化されたシンボル中の別の変調されたシンボルにマッピングされる。たとえば、ＤＭＲＳは、第３の多重化されたシンボルにマッピングされ、ＰＴＲＳは、第１、第３、第５、第７、および第９の多重化されたシンボルにマッピングされる。Ｎ＝２であり、第１の多重化されたシンボルが第２の多重化されたシンボルの両側に位置する場合、ＤＭＲＳが第３の多重化されたシンボルに完全にマッピングされるので、第１および第５の多重化されたシンボルは、第３の多重化されたシンボルに最も近く、ＵＣＩは、第１および第５の多重化されたシンボルにマッピングされ、または第１の多重化されたシンボルが第２の多重化されたシンボルの片側に位置する場合、ＵＣＩは、第５および第７の多重化されたシンボルにマッピングされる。ＵＣＩは、ＰＴＲＳがマッピングされ、ＤＭＲＳがマッピングされる多重化されたシンボルに最も近い多重化されたシンボルにマッピングされることがわかり得る。これは、ＵＣＩを迅速に復調するのを助け、それにより、ＵＣＩ復調のパフォーマンスを改善する。
【００１２】
第１の態様または第１の態様の第１もしくは第２の可能な実装に関して、第３の可能な実装では、第１の多重化されたシンボルは、複数の変調されたシンボルを含み、複数の変調されたシンボルは、アップリンク制御情報の変調されたシンボルとデータの変調されたシンボルとを含み、データの変調されたシンボルは、送信されるべきデータがマッピングされる変調されたシンボルを含むか、またはデータの変調されたシンボルは、送信されるべきデータがマッピングされる変調されたシンボルと位相トラッキング基準信号がマッピングされる変調されたシンボルとを含み、多重化されたシンボルがＯＦＤＭシンボルであるとき、アップリンク制御情報の変調されたシンボルは、均一の間隔で複数の変調されたシンボル中に分散される。第１の態様の第３の可能な実装では、ＯＦＤＭの多重化されたシンボル中のＵＣＩの変調されたシンボルは、均一の間隔で分散される。この均一間隔の分散方式はまた、ＤＦＴ−ｓ−ＯＦＤＭシンボル中のＵＣＩの変調されたシンボルのために使用され得、またはもちろん、別の分散方式が、ＤＦＴ−ｓ−ＯＦＤＭシンボル中のＵＣＩの変調されたシンボルのために使用され得る。第３の可能な実装では、周波数領域ダイバーシティ利得が改善され得、それにより、復調のパフォーマンスを改善することがわかり得る。さらに、ＤＦＴ−ｓ−ＯＦＤＭとＯＦＤＭとのために同じ離散マッピングパターン設計が使用され、それにより、プロトコルの複雑性を低減する。
【００１３】
第１の態様または第１の態様の第１、第２、もしくは第３の可能な実装に関して、第４の可能な実装では、本方法は、端末デバイスによって、送信されるべきデータのための変調方式に基づいてアップリンク制御情報のための変調方式を決定するステップと、端末デバイスによって、送信されるべきデータのための変調方式とアップリンク制御情報のための変調方式とに基づいて送信されるべきデータとアップリンク制御情報とをそれぞれ変調するステップとをさらに含み得る。第１の態様の第４の可能な実装から、送信されるべきデータのための変調方式に基づいてアップリンク制御情報のための変調方式を決定することは、送信されるべきデータの低いＰＡＰＲを維持し、復調のパフォーマンスを改善することができることがわかり得る。
【００１４】
第１の態様の第４の可能な実装に関して、第５の可能な実装では、端末デバイスによって、送信されるべきデータのための変調方式に基づいてアップリンク制御情報のための変調方式を決定するステップは、多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されるべきデータが直交振幅変調（ＱＡＭ）の方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含む。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は、１ビットまたは２ビットを含む。ＲＩ情報はまた、特定のビット量よりも少ないビット量をもつＲＩ情報であり、たとえば、ＲＩ情報は、１ビットまたは２ビットを含む。ＱＡＭは、１６ＱＡＭ、６４ＱＡＭ、２５６ＱＡＭなどを含む。ＱＰＳＫは、標準的なプリセットされたＱＰＳＫコンスタレーション図であり、ＱＡＭの最外コンスタレーションポイントとは異なり得る。データ変調方式は、変調次数、たとえば、それぞれπ／２ＢＰＳＫ、ＱＰＳＫ、１６ＱＡＭ、６４ＱＡＭ、および２５６ＱＡＭに対応する変調次数Ｑm１、２、４、６、および８によってさらに示され得る。第１の態様の第５の可能な実装から、アップリンク制御情報のための変調方式がπ／２ＢＰＳＫであるとき、送信されるべきデータのＰＡＰＲは増加しないことがあり、アップリンク制御情報中の第１のタイプの情報のための変調方式が４位相シフトキーイングＱＰＳＫであるとき、変調ロバストネスが改善され得ることがわかり得る。
【００１５】
本出願の第２の態様によれば、信号送信方法であって、ネットワークデバイスによって、端末デバイスによって送られた多重化されたシンボルを受信するステップであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、受信するステップと、復調を通して多重化されたシンボルからネットワークデバイスによって、端末デバイスによって送信されるデータと、アップリンク制御情報と、復調基準信号とを取得するステップとを含む信号送信方法を提供する。アップリンク制御情報ＵＣＩは、ＣＱＩと、ＰＭＩと、ＲＩと、ＨＡＲＱ指示と、ＣＳＩと、ＣＲＩとのうちの少なくとも１つを含み得る。もちろん、ＵＣＩは、本明細書に記載するいくつかのタイプの情報に限定されず、代替的に、アップリンク制御のために使用される他の情報であり得る。ＵＣＩがマッピングされる多重化されたシンボルとＤＭＲＳがマッピングされる多重化されたシンボルとの間のロケーション関係がマッピング条件を満たす必要があることが第２の態様からわかり得る。このようにして、ＵＣＩ復調のパフォーマンスが改善され得る。
【００１６】
第２の態様に関して、第１の可能な実装では、Ｎ個の第１の多重化されたシンボルの各々と第２の多重化されたシンボルとの間のロケーション関係がマッピング条件を満たすことは、Ｎ個の第１の多重化されたシンボルは、第２の多重化されたシンボルに最も近い多重化されたシンボルであることを含む。第２の態様の第１の可能な実装では、ＵＣＩがマッピングされる多重化されたシンボルは、ＤＭＲＳがマッピングされる多重化されたシンボルの片側または両側に位置し、ＤＭＲＳがマッピングされる多重化されたシンボルに最も近い多重化されたシンボルである。たとえば、ＤＭＲＳは、第３の多重化されたシンボルにマッピングされる。Ｎ＝２であり、第１の多重化されたシンボルが、第２の多重化されたシンボルの両側に位置する場合、第１の多重化されたシンボルは、第２および第４の多重化されたシンボルであり、または第１の多重化されたシンボルが第２の多重化されたシンボルの片側に位置する場合、第１の多重化されたシンボルは、第４の多重化されたシンボルと第５の多重化されたシンボルとであり得るか、もしくはもちろん、第１の多重化されたシンボルと第２の多重化されたシンボルとであり得る。ＵＣＩがマッピングされる多重化されたシンボルは、ＤＭＲＳがマッピングされる多重化されたシンボルの近くにあることがわかり得る。これは、ＵＣＩを迅速に復調するのを助け、それにより、ＵＣＩ復調のパフォーマンスを改善する。
【００１７】
第２の態様または第２の態様の第１の可能な実装に関して、第２の可能な実装では、Ｎ個の第１の多重化されたシンボルの各々と第２の多重化されたシンボルとの間のロケーション関係はマッピング条件を満たすことは、Ｎ個の第１の多重化されたシンボルは、位相トラッキング信号がマッピングされ、第２の多重化されたシンボルに最も近い多重化されたシンボルであることを含み、本方法は、ネットワークデバイスによって、復調を通して多重化されたシンボルから位相トラッキング信号を取得するステップをさらに含む。第２の態様の第２の可能な実装では、ＰＴＲＳが多重化されたシンボルにさらにマッピングされるとき、ＵＣＩを、ＰＴＲＳを含む多重化されたシンボルにマッピングする必要があり、ＵＣＩをマッピングする必要がある多重化されたシンボルは、ＤＭＲＳがマッピングされる多重化されたシンボルに最も近い必要がある。もちろん、ＵＣＩとＰＴＲＳとをマッピングするためのマッピングシーケンスは、本出願のこの実施形態に限定されない。多重化されたシンボル中で、ＰＴＲＳをマッピングする必要がある変調されたシンボルが最初に決定され得、次いで、変調されたシンボルが予約され、次いで、ＵＣＩが多重化されたシンボル中の別の変調されたシンボルにマッピングされる。たとえば、ＤＭＲＳは、第３の多重化されたシンボルにマッピングされ、ＰＴＲＳは、第１、第３、第５、第７、および第９の多重化されたシンボルにマッピングされる。Ｎ＝２であり、第１の多重化されたシンボルが第２の多重化されたシンボルの両側に位置する場合、ＤＭＲＳが第３の多重化されたシンボルに完全にマッピングされるので、第１および第５の多重化されたシンボルは、第３の多重化されたシンボルに最も近く、ＵＣＩは、第１および第５の多重化されたシンボルにマッピングされ、または第１の多重化されたシンボルが第２の多重化されたシンボルの片側に位置する場合、ＵＣＩは、第５および第７の多重化されたシンボルにマッピングされる。ＵＣＩは、ＰＴＲＳがマッピングされ、ＤＭＲＳがマッピングされる多重化されたシンボルに最も近い多重化されたシンボルにマッピングされることがわかり得る。これは、ＵＣＩを迅速に復調するのを助け、それにより、ＵＣＩ復調のパフォーマンスを改善する。
【００１８】
第２の態様または第２の態様の第１もしくは第２の可能な実装に関して、第３の可能な実装では、本方法は、ネットワークデバイスによって、送信されたデータのための変調方式に基づいてアップリンク制御情報のための変調方式を決定するステップをさらに含み、復調を通して多重化されたシンボルからネットワークデバイスによって、端末デバイスによって送信されるデータと、アップリンク制御情報と、復調基準信号とを取得するステップは、ネットワークデバイスによって、送信されたデータのための変調方式に基づいて復調を通して多重化されたシンボルから送信されたデータを取得するステップと、アップリンク制御情報のための変調方式に基づいて復調を通して第１の多重化されたシンボルから、端末デバイスによって送られたアップリンク制御情報を取得するステップとを含む。第２の態様の第３の可能な実装から、送信されるべきデータのための変調方式に基づいてアップリンク制御情報のための変調方式を決定することは、送信されるべきデータの低いＰＡＰＲを維持し、復調のパフォーマンスを改善することができることがわかり得る。
【００１９】
第２の態様の第３の可能な実装に関して、第４の可能な実装では、ネットワークデバイスによって、送信されたデータのための変調方式に基づいてアップリンク制御情報のための変調方式を決定するステップは、多重化されたシンボルがＤＦＴ−ｓ−ＯＦＤＭシンボルである場合、送信されたデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されたデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含む。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は、１ビットまたは２ビットを含む。ＲＩ情報はまた、特定のビット量よりも少ないビット量をもつＲＩ情報であり、たとえば、ＲＩ情報は、１ビットまたは２ビットを含む。ＱＡＭは、１６ＱＡＭ、６４ＱＡＭ、２５６ＱＡＭなどを含む。ＱＰＳＫは、標準的なプリセットされたＱＰＳＫコンスタレーション図であり、ＱＡＭの最外コンスタレーションポイントとは異なり得る。データ変調方式は、変調次数、たとえば、それぞれπ／２ＢＰＳＫ、ＱＰＳＫ、１６ＱＡＭ、６４ＱＡＭ、および２５６ＱＡＭに対応する変調次数Ｑm１、２、４、６、および８によってさらに示され得る。第２の態様の第４の可能な実装から、アップリンク制御情報のための変調方式がπ／２ＢＰＳＫであるとき、送信されるべきデータのＰＡＰＲは増加せず、アップリンク制御情報中の第１のタイプの情報のための変調方式が４位相シフトキーイングＱＰＳＫであるとき、変調ロバストネスが改善され得ることがわかり得る。
【００２０】
本出願の第３の態様によれば、信号送信方法であって、端末デバイスによって、送信されるべきデータとアップリンク制御情報とを取得するステップと、端末デバイスによって、送信されるべきデータのための変調方式に基づいてアップリンク制御情報のための変調方式を決定するステップと、端末デバイスによって、送信されるべきデータのための変調方式とアップリンク制御情報のための変調方式とに基づいて送信されるべきデータとアップリンク制御情報とをそれぞれ変調するステップと、物理アップリンク共有チャネル上で変調された送信されるべきデータと制御情報とを送信するステップとを含む信号送信方法を提供する。第３の態様から、送信されるべきデータのための変調方式に基づいてアップリンク制御情報のための変調方式を決定することは、送信されるべきデータの低いＰＡＰＲを維持し、復調のパフォーマンスを改善することができることがわかり得る。
【００２１】
第３の態様に関して、第１の可能な実装では、端末デバイスによって、送信されるべきデータのための変調方式に基づいてＵＣＩのための変調方式を決定するステップは、多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されるべきデータが直交振幅変調（ＱＡＭ）の方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含む。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は、１ビットまたは２ビットを含む。ＲＩ情報はまた、特定のビット量よりも少ないビット量をもつＲＩ情報であり、たとえば、ＲＩ情報は、１ビットまたは２ビットを含む。ＱＡＭは、１６ＱＡＭ、６４ＱＡＭ、２５６ＱＡＭなどを含む。ＱＰＳＫは、標準的なプリセットされたＱＰＳＫコンスタレーション図であり、ＱＡＭの最外コンスタレーションポイントとは異なり得る。データ変調方式は、変調次数、たとえば、それぞれπ／２ＢＰＳＫ、ＱＰＳＫ、１６ＱＡＭ、６４ＱＡＭ、および２５６ＱＡＭに対応する変調次数Ｑm１、２、４、６、および８によってさらに示され得る。第３の態様の第１の可能な実装から、アップリンク制御情報のための変調方式がπ／２ＢＰＳＫであるとき、送信されるべきデータのＰＡＰＲは増加せず、アップリンク制御情報中の第１のタイプの情報のための変調方式が４位相シフトキーイングＱＰＳＫであるとき、変調ロバストネスが改善され得ることがわかり得る。
【００２２】
本出願の第４の態様によれば、信号送信方法であって、ネットワークデバイスによって、端末デバイスによって送られた変調され送信されたデータとアップリンク制御情報とを受信するステップと、ネットワークデバイスによって、送信されたデータのための変調方式に基づいてアップリンク制御情報のための変調方式を決定するステップと、ネットワークデバイスによって、送信されたデータのための変調方式に基づいて送信されたデータを復調するステップと、アップリンク制御情報のための変調方式に基づいてアップリンク制御情報を復調するステップとを含む信号送信方法を提供する。第４の態様から、送信されるべきデータのための変調方式に基づいてアップリンク制御情報のための変調方式を決定することは、送信されるべきデータの低いＰＡＰＲを維持し、復調のパフォーマンスを改善することができることがわかり得る。
【００２３】
第４の態様に関して、第１の可能な実装では、ネットワークデバイスによって、送信されたデータのための変調方式に基づいてアップリンク制御情報のための変調方式を決定するステップは、多重化されたシンボルがＤＦＴ−ｓ−ＯＦＤＭシンボルである場合、送信されたデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されたデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含む。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は、１ビットまたは２ビットを含む。ＲＩ情報はまた、特定のビット量よりも少ないビット量をもつＲＩ情報であり、たとえば、ＲＩ情報は、１ビットまたは２ビットを含む。ＱＡＭは、１６ＱＡＭ、６４ＱＡＭ、２５６ＱＡＭなどを含む。ＱＰＳＫは、標準的なプリセットされたＱＰＳＫコンスタレーション図であり、ＱＡＭの最外コンスタレーションポイントとは異なり得る。データ変調方式は、変調次数、たとえば、それぞれπ／２ＢＰＳＫ、ＱＰＳＫ、１６ＱＡＭ、６４ＱＡＭ、および２５６ＱＡＭに対応する変調次数Ｑm１、２、４、６、および８によってさらに示され得る。第４の態様の第１の可能な実装から、アップリンク制御情報のための変調方式がπ／２ＢＰＳＫであるとき、送信されるべきデータのＰＡＰＲは増加せず、アップリンク制御情報中の第１のタイプの情報のための変調方式が４位相シフトキーイングＱＰＳＫであるとき、変調ロバストネスが改善され得ることがわかり得る。
【００２４】
本出願の第５の態様によれば、信号送信方法であって、端末デバイスによって、送信されるべきデータと復調基準信号とを取得するステップであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式はπ／２  ２位相シフトキーイングＢＰＳＫ変調である、取得するステップと、端末デバイスによって、第１の送信電力で復調基準信号を送信するステップと、物理アップリンク共有チャネル上で第２の送信電力で送信されるべきデータを送信するステップであって、第１の送信電力と第２の送信電力との間にオフセットがある、送信するステップとを含む信号送信方法を提供する。第５の態様から、第１の送信電力と第２の送信電力との間にオフセットがあることがわかり得る。これにより、ＤＦＴ−ｓ−ＯＦＤＭ波形を使用してアップリンクデータの低いＰＡＰＲを維持することが可能になる。
【００２５】
第５の態様に関して、第１の可能な実装では、第１の送信電力は、第２の送信電力よりも小さい。第５の態様の第１の可能な実装から、第１の送信電力が第２の送信電力よりも小さいことがわかり得る。これは、復調基準信号のＰＡＰＲが送信されるべきデータのＰＡＰＲの増加を生じないことを保証し、それによって、システムのパフォーマンスを改善することができる。
【００２６】
第５の態様の第１の可能な実装に関して、第２の可能な実装では、オフセットは、値Ｘよりも小さい。Ｘは、プリセットされた値であるか、または端末デバイスにネットワークデバイスによって通知される。第５の態様の第２の可能な実装から、第１の送信電力の値がオフセットの範囲を制限することによって決定され得ることがわかり得る。
【００２７】
第５の態様または第５の態様の第１の可能な実装に関して、第３の可能な実装では、オフセットは、プリセットされた値であり、復調基準信号の異なる構成情報は異なるオフセットに対応する。第５の態様の第３の可能な実装から、ＤＭＲＳの構成情報に基づいてオフセットを決定することが端末デバイスの送信のパフォーマンスを改善することができることがわかり得る。
【００２８】
第５の態様または第５の態様の第１の可能な実装に関して、第４の可能な実装では、オフセットは、プリセットされた値であり、異なるスケジュールされた帯域幅は異なるオフセットに対応する。スケジュールされた帯域幅に対応する送信リソースが、送信されるべきデータと復調基準信号とを送信するために使用される。第５の態様の第４の可能な実装から、スケジュールされた帯域幅に基づいてオフセットを決定することが端末の送信のパフォーマンスを改善することができることがわかり得る。
【００２９】
本出願の第６の態様によれば、信号送信方法であって、ネットワークデバイスによって、端末デバイスによって送信された変調されたデータと変調された復調基準信号とを受信するステップであって、送信されたデータと復調基準信号とのために使用される波形は、離散フーリエ変換拡散直交周波数分割多重ＤＦＴ−ｓ−ＯＦＤＭ波形であり、送信されたデータのための変調方式はπ／２  ２位相シフトキーイングＢＰＳＫ変調である、受信するステップと、ネットワークデバイスによって、送信されたデータと復調基準信号とを復調するステップとを含む信号送信方法を提供する。第６の態様から、第１の送信電力と第２の送信電力との間にオフセットがあることがわかり得る。これにより、ＤＦＴ−ｓ−ＯＦＤＭ波形を使用してアップリンクデータの低いＰＡＰＲを維持することが可能になる。
【００３０】
第６の態様に関して、第１の可能な実装では、第１の送信電力は、第２の送信電力よりも小さい。第６の態様の第１の可能な実装から、第１の送信電力が第２の送信電力よりも小さいことがわかり得る。これは、復調基準信号のＰＡＰＲが送信されるべきデータのＰＡＰＲの増加を生じないことを保証し、それによって、システムのパフォーマンスを改善することができる。
【００３１】
第６の態様の第１の可能な実装に関して、第２の可能な実装では、オフセットは、値Ｘよりも小さい。Ｘは、プリセットされた値であるか、または端末デバイスにネットワークデバイスによって通知される。第６の態様の第２の可能な実装から、第１の電力の値がオフセットの範囲を制限することによって決定され得ることがわかり得る。
【００３２】
第６の態様または第６の態様の第１の可能な実装に関して、第３の可能な実装では、オフセットは、プリセットされた値であり、復調基準信号の異なる構成情報は異なるオフセットに対応する。第６の態様の第３の可能な実装から、ＤＭＲＳの構成情報に基づいてオフセットを決定することが端末の送信のパフォーマンスを改善することができることがわかり得る。
【００３３】
第６の態様または第６の態様の第１の可能な実装に関して、第４の可能な実装では、オフセットは、プリセットされた値であり、異なるスケジュールされた帯域幅は異なるオフセットに対応する。スケジュールされた帯域幅に対応する送信リソースが、送信されるべきデータと復調基準信号とを送信するために使用される。第６の態様の第４の可能な実装から、スケジュールされた帯域幅に基づいてオフセットを決定することが端末の送信のパフォーマンスを改善することができることがわかり得る。
【００３４】
本出願の第７の態様によれば、信号送信方法であって、端末デバイスによって、送信されるべきデータと復調基準信号とを取得するステップであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式はπ／２  ２位相シフトキーイングＢＰＳＫ変調である、取得するステップと、端末デバイスによって、第１のフィルタモードを使用することによって送信されるべきデータに対して周波数領域スペクトル整形ＦＤＳＳ処理を実行するステップと、第２のフィルタモードを使用することによって復調基準信号に対してＦＤＳＳ処理を実行するステップであって、第１のフィルタモードのロールオフの程度は第２のフィルタモードのロールオフの程度より高い、実行するステップと、物理アップリンク共有チャネル上で端末デバイスによって、ＦＤＳＳ処理を通して取得された送信されるべきデータと復調基準信号とを送信するステップとを含む信号送信方法を提供する。第７の態様から、異なるフィルタモードを使用することによって送信されるべきデータとＤＭＲＳとに対してＦＤＳＳを実行することは、ＤＭＲＳのＰＡＰＲを低減して、ＤＭＲＳのＰＡＰＲが送信されるべきデータのＰＡＰＲに影響を及ぼすことを防げることができることがわかり得る。
【００３５】
第７の態様に関して、第１の可能な実装では、端末デバイスによって、第１のフィルタモードを使用することによって送信されるべきデータに対して周波数領域スペクトル整形ＦＤＳＳ処理を実行するステップと、第２のフィルタモードを使用することによって復調基準信号に対してＦＤＳＳ処理を実行するステップとは、端末デバイスによって、第１のフィルタパラメータを決定するステップであって、第１のフィルタパラメータは、送信されるべきデータのフィルタパラメータである、決定するステップと、端末デバイスによって、第１のフィルタパラメータに基づいて第２のフィルタパラメータを決定するステップであって、第２のフィルタパラメータは、復調基準信号のフィルタパラメータであり、第２のフィルタパラメータによって示されるフィルタのロールオフの程度は、第１のフィルタパラメータによって示されるフィルタのロールオフの程度より高い、決定するステップと、端末デバイスによって、第１のフィルタパラメータを使用することによって送信されるべきデータをフィルタ処理するステップと、第２のフィルタパラメータを使用することによって復調基準信号をフィルタ処理するステップとを含む。フィルタパラメータは、ロールオフファクタであり得る。
【００３６】
本出願の第８の態様によれば、信号送信方法であって、ネットワークデバイスによって、端末デバイスによって送信されるデータと復調基準信号とを受信するステップであって、送信されたデータと復調基準信号とのために使用される波形は、離散フーリエ変換拡散直交周波数分割多重ＤＦＴ−ｓ−ＯＦＤＭ波形であり、送信されたデータのための変調方式は、π／２  ２位相シフトキーイングＢＰＳＫ変調であり、端末デバイスは、第１のフィルタモードを使用することによって送信されたデータに対して周波数領域スペクトル整形ＦＤＳＳ処理を実行し、端末デバイスは、第２のフィルタモードを使用することによって復調基準信号に対して周波数領域スペクトル整形ＦＤＳＳ処理を実行した、受信するステップと、ネットワークデバイスによって、送信されたデータと復調基準信号とを復調するステップとを含む信号送信方法を提供する。第８の態様から、異なるフィルタモードを使用することによって送信されるべきデータとＤＭＲＳとに対してＦＤＳＳを実行することは、ＤＭＲＳのＰＡＰＲを低減して、ＤＭＲＳのＰＡＰＲが送信されるべきデータのＰＡＰＲに影響を及ぼすことを防げることができることがわかり得る。
【００３７】
本出願の第９の態様によれば、端末デバイスであって、
処理モジュールであって、
送信されるべきデータと、アップリンク制御情報と、復調基準信号とを取得することと、
多重化されたシンボルを生成するために送信されるべきデータと、アップリンク制御情報と、復調基準信号とをマッピングすることであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、マッピングすることとを行うように構成された処理モジュールと、
物理アップリンク共有チャネル上で多重化されたシンボルを送信するように構成された送信モジュールと
を含む端末デバイスを提供する。
【００３８】
第９の態様に関して、第１の可能な実装では、Ｎ個の第１の多重化されたシンボルの各々と第２の多重化されたシンボルとの間のロケーション関係はマッピング条件を満たすことは、
Ｎ個の第１の多重化されたシンボルは、第２の多重化されたシンボルに最も近い多重化されたシンボルであること
を含む。
【００３９】
第９の態様または第９の態様の第１の可能な実装に関して、第２の可能な実装では、処理モジュールは、
位相トラッキング信号を取得することであって、位相トラッキング信号は、多重化されたシンボルにさらにマッピングされる、取得すること
を行うようにさらに構成され、
Ｎ個の第１の多重化されたシンボルの各々と第２の多重化されたシンボルとの間のロケーション関係はマッピング条件を満たすことは、
Ｎ個の第１の多重化されたシンボルは、位相トラッキング信号がマッピングされ、第２の多重化されたシンボルに最も近い多重化されたシンボルであること
を含む。
【００４０】
第９の態様または第９の態様の第１もしくは第２の可能な実装に関して、第３の可能な実装では、第１の多重化されたシンボルは、複数の変調されたシンボルを含み、複数の変調されたシンボルは、アップリンク制御情報の変調されたシンボルとデータの変調されたシンボルとを含み、データの変調されたシンボルは、送信されるべきデータがマッピングされる変調されたシンボルを含むか、またはデータの変調されたシンボルは、送信されるべきデータがマッピングされる変調されたシンボルと位相トラッキング基準信号がマッピングされる変調されたシンボルとを含み、
多重化されたシンボルがＯＦＤＭシンボルであるとき、アップリンク制御情報の変調されたシンボルは、均一の間隔で複数の変調されたシンボル中に分散される。
【００４１】
第９の態様または第９の態様の第１、第２、もしくは第３の可能な実装に関して、第４の可能な実装では、
処理モジュールは、
送信されるべきデータのための変調方式に基づいてアップリンク制御情報のための変調方式を決定することと、
送信されるべきデータのための変調方式とアップリンク制御情報のための変調方式とに基づいて送信されるべきデータとアップリンク制御情報とをそれぞれ変調することと
を行うようにさらに構成される。
【００４２】
第９の態様の第４の可能な実装に関して、第５の可能な実装では、
多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されるべきデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【００４３】
本出願の第１０の態様によれば、ネットワークデバイスであって、
端末デバイスによって送られた多重化されたシンボルを受信することであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、受信することを行うように構成された受信モジュールと、
復調を通して受信モジュールによって受信された多重化されたシンボルから、端末デバイスによって送信されるデータと、アップリンク制御情報と、復調基準信号とを取得するように構成された処理モジュールと
を含むネットワークデバイスを提供する。
【００４４】
第１０の態様に関して、第１の可能な実装では、Ｎ個の第１の多重化されたシンボルの各々と第２の多重化されたシンボルとの間のロケーション関係はマッピング条件を満たすことは、
Ｎ個の第１の多重化されたシンボルは、第２の多重化されたシンボルに最も近い多重化されたシンボルであること
を含む。
【００４５】
第１０の態様または第１０の態様の第１の可能な実装に関して、第２の可能な実装では、Ｎ個の第１の多重化されたシンボルの各々と第２の多重化されたシンボルとの間のロケーション関係はマッピング条件を満たすことは、
Ｎ個の第１の多重化されたシンボルは、位相トラッキング信号がマッピングされ、第２の多重化されたシンボルに最も近い多重化されたシンボルであることを含み、
処理モジュールは、
復調を通して多重化されたシンボルから位相トラッキング信号を取得する
ようにさらに構成される。
【００４６】
第１０の態様または第１０の態様の第１または第２の可能な実装に関して、第３の可能な実装では、ネットワークデバイスは、処理モジュールであって、
送信されたデータのための変調方式に基づいてアップリンク制御情報のための変調方式を決定することと、
送信されたデータのための変調方式に基づいて復調を通して多重化されたシンボルから送信されたデータを取得することと、アップリンク制御情報のための変調方式に基づいて復調を通して第１の多重化されたシンボルから、端末デバイスによって送られたアップリンク制御情報を取得することと
を行うようにさらに構成された処理モジュールをさらに含む。
【００４７】
第１０の態様の第３の可能な実装に関して、第４の可能な実装では、
多重化されたシンボルがＤＦＴ−ｓ−ＯＦＤＭシンボルである場合、送信されたデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されたデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【００４８】
本出願の第１１の態様によれば、端末デバイスであって、
処理モジュールであって、
送信されるべきデータとアップリンク制御情報とを取得することと、
取得された送信されるべきデータのための変調方式に基づいてアップリンク制御情報のための変調方式を決定することと、
送信されるべきデータのための変調方式とアップリンク制御情報のための決定された変調方式とに基づいて送信されるべきデータとアップリンク制御情報とをそれぞれ変調することと
を行うようにさらに構成された
処理モジュールと、
物理アップリンク共有チャネル上で、変調モジュールによって変調された送信されるべきデータと制御情報とを送信するように構成された送信モジュールと
を含む端末デバイスを提供する。
【００４９】
第１１の態様に関して、第１の可能な実装では、
多重化されたシンボルがＤＦＴ−ｓ−ＯＦＤＭシンボルである場合、送信されたデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されたデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【００５０】
本出願の第１２の態様によれば、ネットワークデバイスであって、
端末デバイスによって送られた変調され送信されたデータとアップリンク制御情報とを受信するように構成された受信モジュールと、
処理モジュールであって、
受信モジュールによって受信された送信されたデータのための変調方式に基づいてアップリンク制御情報のための変調方式を決定することと、
送信されたデータのための変調方式に基づいて送信されたデータを復調することと、アップリンク制御情報のための決定された変調方式に基づいてアップリンク制御情報を復調することと
を行うように構成された処理モジュールと
を含むネットワークデバイスを提供する。
【００５１】
第１２の態様に関して、第１の可能な実装では、
多重化されたシンボルがＤＦＴ−ｓ−ＯＦＤＭシンボルである場合、送信されたデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されたデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【００５２】
本出願の第１３の態様によれば、端末デバイスであって、
処理モジュールであって、
送信されるべきデータと復調基準信号とを取得することであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式はπ／２  ２位相シフトキーイングＢＰＳＫ変調である、取得すること
を行うように構成された処理モジュールと、
第１の送信電力で取得された復調基準信号を送信することと、物理アップリンク共有チャネル上で第２の送信電力で送信されるべきデータを送信することであって、第１の送信電力と第２の送信電力との間にオフセットがある、送信することとを行うように構成された送信モジュールと
を含む端末デバイスを提供する。
【００５３】
本出願の第１４の態様によれば、ネットワークデバイスであって、
端末デバイスによって送信された変調されたデータと変調された復調基準信号とを受信するように構成された受信モジュールであって、送信されたデータと復調基準信号とのために使用される波形は、離散フーリエ変換拡散直交周波数分割多重ＤＦＴ−ｓ−ＯＦＤＭ波形であり、送信されたデータのための変調方式はπ／２  ２位相シフトキーイングＢＰＳＫ変調である、受信モジュールと、
受信モジュールによって受信される送信されたデータと復調基準信号とを復調するように構成された処理モジュールと
を含むネットワークデバイスを提供する。
【００５４】
本出願の第１５の態様によれば、端末デバイスであって、
処理モジュールであって、
送信されるべきデータと復調基準信号とを取得することであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式はπ／２  ２位相シフトキーイングＢＰＳＫ変調である、取得することと、
第１のフィルタモードを使用することによって取得された送信されるべきデータに対して周波数領域スペクトル整形ＦＤＳＳ処理を実行することと、第２のフィルタモードを使用することによって復調基準信号に対してＦＤＳＳ処理を実行することであって、第１のフィルタモードのロールオフの程度は第２のフィルタモードのロールオフの程度より高い、実行することと
を行うように構成された処理モジュールと、
物理アップリンク共有チャネル上で、ＦＤＳＳ処理を実行することによって処理モジュールによって取得された送信されるべきデータと復調基準信号とを送信するように構成された送信モジュールと
を含む端末デバイスを提供する。
【００５５】
第１５の態様に関して、第１の可能な実装では、
処理モジュールは、
第１のフィルタパラメータを決定することであって、第１のフィルタパラメータは、送信されるべきデータのフィルタパラメータである、決定することと、
第１のフィルタパラメータに基づいて第２のフィルタパラメータを決定することであって、第２のフィルタパラメータは、復調基準信号のフィルタパラメータであり、第２のフィルタパラメータによって示されるフィルタのロールオフの程度は、第１のフィルタパラメータによって示されるフィルタのロールオフの程度より高い、決定することと、
第１のフィルタパラメータを使用することによって送信されるべきデータをフィルタ処理することと、第２のフィルタパラメータを使用することによって復調基準信号をフィルタ処理することと
を行うように特に構成される。
【００５６】
本出願の第１６の態様によれば、ネットワークデバイスであって、
端末デバイスによって送信されるデータと復調基準信号とを受信することであって、送信されたデータと復調基準信号とのために使用される波形は、離散フーリエ変換拡散直交周波数分割多重ＤＦＴ−ｓ−ＯＦＤＭ波形であり、送信されたデータのための変調方式は、π／２  ２位相シフトキーイングＢＰＳＫ変調であり、端末デバイスは、第１のフィルタモードを使用することによって送信されたデータに対して周波数領域スペクトル整形ＦＤＳＳ処理を実行し、端末デバイスは、第２のフィルタモードを使用することによって復調基準信号に対して周波数領域スペクトル整形ＦＤＳＳ処理を実行した、受信することを行うように構成された受信モジュールと、
送信されたデータと復調基準信号とを復調するように構成された処理モジュールと
を含むネットワークデバイスを提供する。
【００５７】
本出願の第１７の態様によれば、メモリと、トランシーバと、少なくとも１つのプロセッサとを含む端末デバイスを提供する。メモリは、命令を記憶する。メモリと、トランシーバと、少なくとも１つのプロセッサとは、回線を使用することによって相互接続される。トランシーバは、第１の態様または第１の態様の可能な実装のうちのいずれか１つにおける端末デバイス側で実行される信号送信／受信動作を実行するように構成される。本明細書における信号送信／受信動作は、第１の態様における物理アップリンク共有チャネル上で多重化されたシンボルを送信することであり得る。
【００５８】
少なくとも１つのプロセッサは、命令を呼び出し、第１の態様または第１の態様の可能な実装のうちのいずれか１つにおける端末デバイス側で実行される信号処理または制御動作を実行する。
【００５９】
本明細書における信号処理または制御動作は、第１の態様における送信されるべきデータと、アップリンク制御情報と、復調基準信号とを取得することと、多重化されたシンボルを生成するために送信されるべきデータと、アップリンク制御情報と、復調基準信号とをマッピングすることとであり得るか、または第１の態様の第２の可能な実装における位相トラッキング信号を取得することであり得るか、または第１の態様の第４の可能な実装における送信されるべきデータのための変調方式に基づいてアップリンク制御情報のための変調方式を決定することと、送信されるべきデータのための変調方式とアップリンク制御情報のための変調方式とに基づいて送信されるべきデータとアップリンク制御情報とをそれぞれ変調することとであり得る。
【００６０】
本出願の第１８の態様によれば、メモリと、トランシーバと、少なくとも１つのプロセッサとを含むネットワークデバイスを提供する。メモリは、命令を記憶する。メモリと、トランシーバと、少なくとも１つのプロセッサとは、回線を使用することによって相互接続される。トランシーバは、第２の態様または第２の態様の可能な実装のうちのいずれか１つにおけるネットワークデバイス側で実行される信号送信／受信動作を実行するように構成される。本明細書における信号送信／受信動作は、第２の態様における端末デバイスによって送られた受信する多重化されたシンボルであり得る。
【００６１】
少なくとも１つのプロセッサは、命令を呼び出し、第２の態様または第２の態様の可能な実装のうちのいずれか１つにおけるネットワークデバイス側で実行される信号処理または制御動作を実行する。本明細書における信号処理または制御動作は、第２の態様における復調を通して多重化されたシンボルから、端末デバイスによって送信されたデータと、アップリンク制御情報と、復調基準信号とを取得することであり得るか、または第２の態様の第２の可能な実装における復調を通して多重化されたシンボルから位相トラッキング信号を取得することであり得るか、または第２の態様の第３の可能な実装における送信されたデータのための変調方式に基づいてアップリンク制御情報のための変調方式を決定することと、送信されたデータのための変調方式に基づいて復調を通して多重化されたシンボルから送信されたデータを取得することと、アップリンク制御情報のための変調方式に基づく復調を通して第１の多重化されたシンボルから、端末デバイスによって送られたアップリンク制御情報を取得することとであり得る。
【００６２】
本出願の第１９の態様によれば、メモリと、トランシーバと、少なくとも１つのプロセッサとを含む端末デバイスを提供する。メモリは、命令を記憶する。メモリと、トランシーバと、少なくとも１つのプロセッサとは、回線を使用することによって相互接続される。トランシーバは、第３の態様または第３の態様の可能な実装のうちのいずれか１つにおける端末デバイス側で実行される信号送信／受信動作を実行するように構成される。本明細書における信号送信／受信動作は、第３の態様における物理アップリンク共有チャネル上で変調された送信されるべきデータと制御情報とを送信することであり得る。
【００６３】
少なくとも１つのプロセッサは、命令を呼び出し、第３の態様または第３の態様の可能な実装のうちのいずれか１つにおける端末デバイス側で実行される信号処理または制御動作を実行する。本明細書における信号処理または制御動作は、第３の態様における送信されるべきデータと、アップリンク制御情報とを取得することと、送信されるべきデータのための変調方式に基づいてアップリンク制御情報のための変調方式を決定することと、送信されるべきデータのための変調方式とアップリンク制御情報のための変調方式とに基づいて送信されるべきデータとアップリンク制御情報とをそれぞれ変調することとであり得る。
【００６４】
本出願の第１２の態様によれば、メモリと、トランシーバと、少なくとも１つのプロセッサとを含むネットワークデバイスを提供する。メモリは、命令を記憶する。メモリと、トランシーバと、少なくとも１つのプロセッサとは、回線を使用することによって相互接続される。トランシーバは、第４の態様または第４の態様の可能な実装のうちのいずれか１つにおけるネットワークデバイス側で実行される信号送信／受信動作を実行するように構成される。本明細書における信号送信／受信動作は、第４の態様における端末デバイスによって送られた変調され送信されたデータとアップリンク制御情報とを受信することであり得る。
【００６５】
少なくとも１つのプロセッサは、命令を呼び出し、第４の態様または第４の態様の可能な実装のうちのいずれか１つにおけるネットワークデバイス側で実行される信号処理または制御動作を実行する。本明細書における信号処理または制御動作は、送信されたデータのための変調方式に基づいてアップリンク制御情報のための変調方式を決定することと、送信されたデータのための変調方式に基づいて送信されたデータを復調することと、アップリンク制御情報のための変調方式に基づいてアップリンク制御情報を復調することとであり得る。
【００６６】
本出願の第２１の態様によれば、メモリと、トランシーバと、少なくとも１つのプロセッサとを含む端末デバイスを提供する。メモリは、命令を記憶する。メモリと、トランシーバと、少なくとも１つのプロセッサとは、回線を使用することによって相互接続される。トランシーバは、第５の態様または第５の態様の可能な実装のうちのいずれか１つにおける端末デバイス側で実行される信号送信／受信動作を実行するように構成される。本明細書における信号送信／受信動作は、第５の態様における第１の送信電力で復調基準信号を送信することと、物理アップリンク共有チャネル上で第２の送信電力で送信されるべきデータを送信することとであり得る。
【００６７】
少なくとも１つのプロセッサは、命令を呼び出し、第５の態様または第５の態様の可能な実装のうちのいずれか１つにおける端末デバイス側で実行される信号処理または制御動作を実行する。本明細書における信号処理または制御動作は、第５の態様における送信されるべきデータと復調基準信号とを取得することであり得る。
【００６８】
本出願の第２２の態様によれば、メモリと、トランシーバと、少なくとも１つのプロセッサとを含むネットワークデバイスを提供する。メモリは、命令を記憶する。メモリと、トランシーバと、少なくとも１つのプロセッサとは、回線を使用することによって相互接続される。トランシーバは、第６の態様または第６の態様の可能な実装のうちのいずれか１つにおけるネットワークデバイス側で実行される信号送信／受信動作を実行するように構成される。本明細書における信号送信／受信動作は、第６の態様における端末デバイスによって送信される変調されたデータと変調された復調基準信号とを受信することであり得る。
【００６９】
少なくとも１つのプロセッサは、命令を呼び出し、第６の態様または第６の態様の可能な実装のうちのいずれか１つにおけるネットワークデバイス側で実行される信号処理または制御動作を実行する。本明細書における信号処理または制御動作は、第６の態様における送信されるべきデータと復調基準信号とを復調することであり得る。
【００７０】
本出願の第２３の態様によれば、メモリと、トランシーバと、少なくとも１つのプロセッサとを含む端末デバイスを提供する。メモリは、命令を記憶する。メモリと、トランシーバと、少なくとも１つのプロセッサとは、回線を使用することによって相互接続される。トランシーバは、第７の態様または第７の態様の可能な実装のうちのいずれか１つにおける端末デバイス側で実行される信号送信／受信動作を実行するように構成される。本明細書における信号送信／受信動作は、第７の態様における物理アップリンク共有チャネル上で、ＦＤＳＳ処理を通して取得された送信されるべきデータと復調基準信号とを送信することであり得る。
【００７１】
少なくとも１つのプロセッサは、命令を呼び出し、第７の態様または第７の態様の可能な実装のうちのいずれか１つにおける端末デバイス側で実行される信号処理または制御動作を実行する。本明細書における信号処理または制御動作は、第７の態様における送信されるべきデータと復調基準信号とを取得することと、第１のフィルタモードを使用することによって送信されるべきデータに対して周波数領域スペクトル整形ＦＤＳＳ処理を実行することと、第２のフィルタモードを使用することによって復調基準信号に対してＦＤＳＳ処理を実行することとであり得るか、または第７の態様の第１の可能な実装における第１のフィルタパラメータを決定することと、第１のフィルタパラメータに基づいて第２のフィルタパラメータを決定することと、第１のフィルタパラメータを使用することによって送信されるべきデータをフィルタ処理することと、第２のフィルタパラメータを使用することによって復調基準信号をフィルタ処理することとであり得る。
【００７２】
本出願の第２４の態様によれば、メモリと、トランシーバと、少なくとも１つのプロセッサとを含むネットワークデバイスを提供する。メモリは、命令を記憶する。メモリと、トランシーバと、少なくとも１つのプロセッサとは、回線を使用することによって相互接続される。トランシーバは、第８の態様または第８の態様の可能な実装のうちのいずれか１つにおけるネットワークデバイス側で実行される信号送信／受信動作を実行するように構成される。本明細書における信号送信／受信動作は、第８の態様における端末デバイスによって送信されるデータと復調基準信号とを受信することであり得る。
【００７３】
少なくとも１つのプロセッサは、命令を呼び出し、第８の態様または第８の態様の可能な実装のうちのいずれか１つにおけるネットワークデバイス側で実行される信号処理または制御動作を実行する。本明細書における信号処理または制御動作は、第８の態様における送信されるべきデータと復調基準信号とを復調することであり得る。
【００７４】
本出願の第２５の態様によれば、チップシステムを提供し、チップシステムは、端末デバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第１の態様または第１の態様の可能な実装のうちのいずれか１つにおける端末デバイスの動作を実行するためにプロセッサによって実行される。
【００７５】
本出願の第２６の態様によれば、チップシステムを提供し、チップシステムは、ネットワークデバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第２の態様または第２の態様の可能な実装のうちのいずれか１つにおけるネットワークデバイスの動作を実行するためにプロセッサによって実行される。
【００７６】
本出願の第２７の態様によれば、チップシステムを提供し、チップシステムは、端末デバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第３の態様または第３の態様の可能な実装のうちのいずれか１つにおける端末デバイスの動作を実行するためにプロセッサによって実行される。
【００７７】
本出願の第２８の態様によれば、チップシステムを提供し、チップシステムは、ネットワークデバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第４の態様または第４の態様の可能な実装のうちのいずれか１つにおけるネットワークデバイスの動作を実行するためにプロセッサによって実行される。
【００７８】
本出願の第２９の態様によれば、チップシステムを提供し、チップシステムは、端末デバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第５の態様または第５の態様の可能な実装のうちのいずれか１つにおける端末デバイスの動作を実行するためにプロセッサによって実行される。
【００７９】
本出願の第３０の態様によれば、チップシステムを提供し、チップシステムは、ネットワークデバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第６の態様または第６の態様の可能な実装のうちのいずれか１つにおけるネットワークデバイスの動作を実行するためにプロセッサによって実行される。
【００８０】
本出願の第３１の態様によれば、チップシステムを提供し、チップシステムは、端末デバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第７の態様または第７の態様の可能な実装のうちのいずれか１つにおける端末デバイスの動作を実行するためにプロセッサによって実行される。
【００８１】
本出願の第３２の態様によれば、チップシステムを提供し、チップシステムは、ネットワークデバイスに適用される。チップシステムは、少なくとも１つのプロセッサと通信インターフェースとを含む。チップシステムは、メモリをさらに含み得る。メモリと、通信インターフェースと、少なくとも１つのプロセッサとは、回線を使用することによって相互接続される。少なくとも１つのメモリは命令を記憶する。命令は、第８の態様または第８の態様の可能な実装のうちのいずれか１つにおけるネットワークデバイスの動作を実行するためにプロセッサによって実行される。
【００８２】
本出願の別の態様によれば、コンピュータ可読記憶媒体を提供し、コンピュータ可読記憶媒体は、端末デバイスに適用される。コンピュータ可読記憶媒体は命令を記憶する。命令がコンピュータ上で実行されるとき、コンピュータは、第１の態様または第１の態様の可能な実装のうちのいずれか１つにおける方法を実行することが可能にされる。
【００８３】
本出願のさらに別の態様によれば、コンピュータ可読記憶媒体を提供し、コンピュータ可読記憶媒体は、ネットワークデバイスに適用される。コンピュータ可読記憶媒体は命令を記憶する。命令がコンピュータ上で実行されるとき、コンピュータは、第２の態様または第２の態様の可能な実装のうちのいずれか１つにおける方法を実行することが可能にされる。
【００８４】
本出願のさらに別の態様によれば、コンピュータ可読記憶媒体を提供し、コンピュータ可読記憶媒体は、端末デバイスに適用される。コンピュータ可読記憶媒体は命令を記憶する。命令がコンピュータ上で実行されるとき、コンピュータは、第３の態様または第３の態様の可能な実装のうちのいずれか１つにおける方法を実行することが可能にされる。
【００８５】
本出願のさらに別の態様によれば、コンピュータ可読記憶媒体を提供し、コンピュータ可読記憶媒体は、ネットワークデバイスに適用される。コンピュータ可読記憶媒体は命令を記憶する。命令がコンピュータ上で実行されるとき、コンピュータは、第４の態様または第４の態様の可能な実装のうちのいずれか１つにおける方法を実行することが可能にされる。
【００８６】
本出願のさらに別の態様によれば、コンピュータ可読記憶媒体を提供し、コンピュータ可読記憶媒体は、端末デバイスに適用される。コンピュータ可読記憶媒体は命令を記憶する。命令がコンピュータ上で実行されるとき、コンピュータは、第５の態様または第５の態様の可能な実装のうちのいずれか１つにおける方法を実行することが可能にされる。
【００８７】
本出願のさらに別の態様によれば、コンピュータ可読記憶媒体を提供し、コンピュータ可読記憶媒体は、ネットワークデバイスに適用される。コンピュータ可読記憶媒体は命令を記憶する。命令がコンピュータ上で実行されるとき、コンピュータは、第６の態様または第６の態様の可能な実装のうちのいずれか１つにおける方法を実行することが可能にされる。
【００８８】
本出願のさらに別の態様によれば、コンピュータ可読記憶媒体を提供し、コンピュータ可読記憶媒体は、端末デバイスに適用される。コンピュータ可読記憶媒体は命令を記憶する。命令がコンピュータ上で実行されるとき、コンピュータは、第７の態様または第７の態様の可能な実装のうちのいずれか１つにおける方法を実行することが可能にされる。
【００８９】
本出願のさらに別の態様によれば、コンピュータ可読記憶媒体を提供し、コンピュータ可読記憶媒体は、ネットワークデバイスに適用される。コンピュータ可読記憶媒体は命令を記憶する。命令がコンピュータ上で実行されるとき、コンピュータは、第８の態様または第８の態様の可能な実装のうちのいずれか１つにおける方法を実行することが可能にされる。
【００９０】
本出願のさらに別の態様によれば、命令を含むコンピュータプログラム製品を提供し、コンピュータプログラム製品は、端末デバイスに適用される。プログラムがコンピューティングデバイス上で実行されるとき、第１の態様または第１の態様の任意の実装のうちのいずれか１つにおける端末デバイスの動作が実行される。
【００９１】
本出願のさらに別の態様によれば、命令を含むコンピュータプログラム製品を提供し、コンピュータプログラム製品は、ネットワークデバイスに適用される。プログラムがコンピューティングデバイス上で実行されるとき、第２の態様または第２の態様の任意の実装のうちのいずれか１つにおけるネットワークデバイスの動作が実行される。
【００９２】
本出願のさらに別の態様によれば、命令を含むコンピュータプログラム製品を提供し、コンピュータプログラム製品は、端末デバイスに適用される。プログラムがコンピューティングデバイス上で実行されるとき、第３の態様または第３の態様の任意の実装のうちのいずれか１つにおける端末デバイスの動作が実行される。
【００９３】
本出願のさらに別の態様によれば、命令を含むコンピュータプログラム製品を提供し、コンピュータプログラム製品は、ネットワークデバイスに適用される。プログラムがコンピューティングデバイス上で実行されるとき、第４の態様または第４の態様の任意の実装のうちのいずれか１つにおけるネットワークデバイスの動作が実行される。
【００９４】
本出願のさらに別の態様によれば、命令を含むコンピュータプログラム製品を提供し、コンピュータプログラム製品は、端末デバイスに適用される。プログラムがコンピューティングデバイス上で実行されるとき、第５の態様または第５の態様の任意の実装のうちのいずれか１つにおける端末デバイスの動作が実行される。
【００９５】
本出願のさらに別の態様によれば、命令を含むコンピュータプログラム製品を提供し、コンピュータプログラム製品は、ネットワークデバイスに適用される。プログラムがコンピューティングデバイス上で実行されるとき、第６の態様または第６の態様の任意の実装のうちのいずれか１つにおけるネットワークデバイスの動作が実行される。
【００９６】
本出願のさらに別の態様によれば、命令を含むコンピュータプログラム製品を提供し、コンピュータプログラム製品は、端末デバイスに適用される。プログラムがコンピューティングデバイス上で実行されるとき、第７の態様または第７の態様の任意の実装のうちのいずれか１つにおける端末デバイスの動作が実行される。
【００９７】
本出願のさらに別の態様によれば、命令を含むコンピュータプログラム製品を提供し、コンピュータプログラム製品は、ネットワークデバイスに適用される。プログラムがコンピューティングデバイス上で実行されるとき、第８の態様または第８の態様の任意の実装のうちのいずれか１つにおけるネットワークデバイスの動作が実行される。
【００９８】
本出願のさらに別の態様によれば、端末デバイスとネットワークデバイスとを含む信号送信システムであって、
端末デバイスは、第９の態様または第９の態様の可能な実装のうちのいずれか１つにおける端末デバイスであり、
ネットワークデバイスは、第１０の態様または第１０の態様の可能な実装のうちのいずれか１つにおけるネットワークデバイスである、
信号送信システムを提供する。
【００９９】
本出願のさらに別の態様によれば、端末デバイスとネットワークデバイスとを含む信号送信システムであって、
端末デバイスは、第１１の態様または第１１の態様の可能な実装のうちのいずれか１つにおける端末デバイスであり、
ネットワークデバイスは、第１２の態様または第１２の態様の可能な実装のうちのいずれか１つにおけるネットワークデバイスである、
信号送信システムを提供する。
【０１００】
本出願のさらに別の態様によれば、端末デバイスとネットワークデバイスとを含む信号送信システムであって、
端末デバイスは、第１３の態様または第１３の態様の可能な実装のうちのいずれか１つにおける端末デバイスであり、
ネットワークデバイスは、第１４の態様または第１４の態様の可能な実装のうちのいずれか１つにおけるネットワークデバイスである、
信号送信システムを提供する。
【０１０１】
本出願のさらに別の態様によれば、端末デバイスとネットワークデバイスとを含む信号送信システムであって、
端末デバイスは、第１５の態様または第１５の態様の可能な実装のうちのいずれか１つにおける端末デバイスであり、
ネットワークデバイスは、第１６の態様または第１６の態様の可能な実装のうちのいずれか１つにおけるネットワークデバイスである、
信号送信システムを提供する。
【０１０２】
本出願の実施形態において提供される信号送信方法によれば、アップリンクデータが復調基準信号とともに物理アップリンク共有信号上で送信されるときにアップリンクデータのＰＡＰＲが増加しないことと、アップリンクデータがアップリンク制御情報とともに物理アップリンク共有信号上で送信されるときに復調のパフォーマンスが改善され得ることとが保証され得る。
【図面の簡単な説明】
【０１０３】
【図１】信号送信システムの実施形態の概略図である。
【図２】本出願の実施形態による信号送信システムの別の実施形態の概略図である。
【図３】本出願の実施形態による端末デバイスの概略構造図である。
【図４Ａ】図３におけるマルチプレクサ１の可能な内部構造の概略図である。
【図４Ｂ】図３におけるマルチプレクサ１の可能な内部構造の概略図である。
【図４Ｃ】図３におけるマルチプレクサ１の可能な内部構造の概略図である。
【図５】本出願の実施形態によるネットワークデバイスの概略構造図である。
【図６】本出願の実施形態による信号送信方法の実施形態の概略図である。
【図７】本出願の実施形態による例示的なシナリオの概略図である。
【図８】本出願の実施形態による別の例示的なシナリオの概略図である。
【図９】本出願の実施形態によるＰＴＲＳ分散密度の概略図である。
【図１０】本出願の実施形態による、ＵＣＩの変調されたシンボルとデータの変調されたシンボルとの配置パターンの例の概略図である。
【図１１】本出願の実施形態によるＤＦＴ−ｓ−ＯＦＤＭ信号処理手順の例の概略図である。
【図１２】本出願の実施形態によるＯＦＤＭ信号処理手順の例の概略図である。
【図１３】本出願の実施形態による１６ＱＡＭコンスタレーションの概略図である。
【図１４】本出願の実施形態による様々なタイプの変調されたシンボルの分散の概略図である。
【図１５】本出願の実施形態による信号送信方法の別の実施形態の概略図である。
【図１６】本出願の実施形態による信号送信方法の別の実施形態の概略図である。
【図１７】本出願の実施形態による様々なＤＭＲＳマッピング構造の概略図である。
【図１８】本出願の実施形態による信号送信方法の別の実施形態の概略図である。
【図１９】本出願の実施形態によるＦＤＳＳフィルタ周波数領域応答の概略図である。
【図２０】本出願の実施形態による端末デバイスの実施形態の概略図である。
【図２１】本出願の実施形態によるネットワークデバイスの実施形態の概略図である。
【図２２】本出願の実施形態による端末デバイスの別の実施形態の概略図である。
【図２３】本出願の実施形態によるチップシステムの実施形態の概略図である。
【発明を実施するための形態】
【０１０４】
以下で、添付の図面を参照しながら本出願の実施形態について説明する。明らかに、説明される実施形態は、本出願の実施形態のいくつかにすぎず、実施形態のすべてではない。当業者は、技術の発展および新しいシナリオの出現とともに、本出願の実施形態において与えられる技術的解決策が、同様の技術的問題にも適用可能であることを知っていよう。
【０１０５】
本出願の実施形態は、アップリンクデータが復調基準信号とともに物理アップリンク共有信号上で送信されるときにアップリンクデータのＰＡＰＲが増加しないことを保証し、アップリンクデータがアップリンク制御情報とともに物理アップリンク共有信号上で送信されるときの復調のパフォーマンスを改善するための、信号送信方法を与える。本出願の実施形態は、対応するデバイスおよびシステムと、コンピュータ可読記憶媒体とをさらに与える。以下で詳細な説明を個別に与える。
【０１０６】
本出願における「アップリンク」および「ダウンリンク」という用語は、いくつかのシナリオではデータ／情報の送信方向を記述するために使用される。たとえば、「アップリンク」方向は、データ／情報が端末デバイスからネットワーク側に送信される方向であり、「ダウンリンク」方向は、データ／情報がネットワーク側デバイスから端末デバイスに送信される方向である。「アップリンク」および「ダウンリンク」は方向を記述するために使用されるにすぎず、データ／情報の特定の送信開始および終了デバイスは限定されない。
【０１０７】
本出願における「および／または」という用語は、関連する対象の間の関連付け関係を記述し、３つの関係が存在し得ることを表す。たとえば、Ａおよび／またはＢは、Ａのみが存在する、ＡとＢの両方が存在する、およびＢのみが存在するという、３つの場合を表し得る。加えて、本出願における「／」という文字は、関連する対象の間の「または」関係を概して示す。
【０１０８】
本出願の明細書、特許請求の範囲、および添付の図面において、「第１の」、「第２の」などの用語は、同様の対象を区別することが意図されており、特定の順序またはシーケンスを必ずしも示さない。そのような仕方で使用されるデータは、本明細書において説明される実施形態が、本明細書で例示または説明される順序以外の順序で実装され得るように、適切な状況において相互交換可能であることを理解されたい。その上、「含む」、「有する」、およびそれらの任意の他の変形の用語は、非排他的包含を網羅することを意味し、たとえば、ステップまたはモジュールのリストを含む処理、方法、システム、製品、またはデバイスは、必ずしもそれらのステップまたはモジュールに限定されず、そのような処理、方法、製品、またはデバイスについて明確にリストされないかまたは固有でない他のステップまたはモジュールを含み得る。本出願におけるステップの名前または番号は、方法手順におけるステップが、それらの名前または番号によって示される時間／論理シーケンスで実行される必要があることを意味しない。名前付きまたは番号付き手順ステップの実行シーケンスは、同じまたは同様の技術的効果が達成され得るとすれば、実装されるべき技術的目的に基づいて変更されてよい。本出願におけるモジュール分割は論理的分割にすぎず、実際の適用例では他の分割方式があってよい。たとえば、複数のモジュールが組み合わせられるかもしくは別のシステムに統合されることがあるか、またはいくつかの特徴が無視されるかもしくは実行されないことがある。加えて、図示もしくは説明される相互結合もしくは直接結合または通信接続は、いくつかのインターフェースを通して実装され得る。モジュール間の間接的結合または通信接続は、電気的なまたは他の同様の形態で実装され得る。これは本出願では限定されない。加えて、別個の構成要素として説明されるモジュールまたはサブモジュールは、物理的に分離されることも分離されないこともあるか、または物理モジュールであることもないこともあるか、または複数の回路モジュールにおいて分散されることがある。本出願の解決策の目的は、実際の要件に基づいてモジュールの一部または全部を選択することによって達成され得る。
【０１０９】
図１は、本出願の実施形態による信号送信システムの実施形態の概略図である。
【０１１０】
図１に示されているように、信号送信システムは、ネットワークデバイスと、端末デバイスとを含む。
【０１１１】
本出願のこの実施形態では、ネットワークデバイスは、無線アクセスネットワーク上に展開され、端末デバイスにワイヤレス通信機能を与える装置である。ネットワークデバイスは、マクロ基地局、マイクロ基地局（スモールセルとも呼ばれる）、リレー局、およびアクセスポイントなど、様々な形態の基地局を含み得る。異なる無線アクセス技術を使用するシステムでは、基地局機能を有するデバイスの名前は異なることがある。たとえば、ＬＴＥシステムでは、デバイスは発展型ノードＢ（ｅＮＢまたはｅＮｏｄｅＢ）と呼ばれ、第３世代（略して３Ｇ）システムでは、デバイスはノードＢと呼ばれる。説明しやすいように、本出願のすべての実施形態では、端末にワイヤレス通信機能を与えるすべての上記の装置は、ネットワークデバイスまたは基地局もしくはＢＳと呼ばれる。
【０１１２】
本出願のこの実施形態における端末デバイスは、ワイヤレス通信機能を有する様々なハンドヘルドデバイス、車載型デバイス、ウェアラブルデバイス、もしくはコンピューティングデバイス、またはワイヤレスモデムに接続された他の処理デバイスを含み得る。端末は、ＭＳ（英語：Ｍｏｂｉｌｅ  Ｓｔａｔｉｏｎ）、加入者ユニット、セルラーフォン、スマートフォン、ワイヤレスデータカード、携帯情報端末（略してＰＤＡ）コンピュータ、タブレットコンピュータ、ワイヤレスモデム、ハンドセット、ラップトップコンピュータ、マシンタイプ通信（略してＭＴＣ）端末などであり得る。
【０１１３】
図１に示されている信号送信システムは、代替として別の形態で表され得る。図２に示されているように、信号送信システムは、端末デバイス１０と、ネットワークデバイス２０とを含む。端末デバイス１０は、プロセッサ１０１と、メモリ１０２と、トランシーバ１０３とを含む。トランシーバ１０３は、送信機１０３１と、受信機１０３２と、アンテナ１０３３とを含む。ネットワークデバイス２０は、プロセッサ２０１と、メモリ２０２と、トランシーバ２０３とを含む。トランシーバ２０３は、送信機２０３１と、受信機２０３２と、アンテナ２０３３とを含む。
【０１１４】
本出願の実施形態における信号送信処理は、端末デバイス１０の送信機１０３１と、ネットワークデバイス２０の受信機２０３２とによって主に実行される。したがって、ＤＭＲＳ、ＵＣＩ、およびＰＴＲＳなどの信号のうちの少なくとも１つがアップリンクデータとともにＰＵＳＣＨ上で送信される処理について、図３に示されている端末デバイス１０の信号送信処理に関して説明される。
【０１１５】
図３に示されている端末デバイスは、コントローラと、ＤＭＲＳ生成器と、ＰＴＲＳ生成器と、アップリンク制御情報（ＵＣＩ）生成器と、データ生成器と、マルチプレクサ（ＭＵＸ）１と、直並列（Ｓ／Ｐ）コンバータと、離散フーリエ変換（ＤＦＴ）プロセッサと、マルチプレクサ２と、マッパーと、逆高速フーリエ変換（ＩＦＦＴ）プロセッサと、並直列（Ｐ／Ｓ）コンバータと、サイクリックプレフィックス（ＣＰ）加算器と、アンテナとを含む。コントローラと、ＤＭＲＳ生成器と、ＰＴＲＳ生成器と、アップリンク制御信号（ＵＣＩ）生成器と、データ生成器と、マルチプレクサ１と、Ｓ／Ｐコンバータと、ＤＦＴプロセッサと、マルチプレクサ２と、マッパーと、ＩＦＦＴプロセッサと、Ｐ／Ｓコンバータと、ＣＰ加算器とは、ソフトウェアによって実装され得るか、または対応するチップ中の回路によって実装され得るか、またはプロセッサにおいて実装され得る。
【０１１６】
コントローラは、端末デバイスのデータおよび信号送信動作に関して全体的な制御を与え、マルチプレクサ１と、ＤＦＴプロセッサと、マッパーと、ＤＭＲＳ生成器と、ＰＴＲＳ生成器と、アップリンク制御信号生成器と、データ生成器とに必要とされる制御信号を生成する。ＤＭＲＳ生成器とＰＴＲＳ生成器とに与えられる制御信号は、パイロットシーケンスを生成するために使用されるシーケンスインデックスとマッピングパターンとを示す。アップリンク制御情報送信とデータ送信とに関連する制御信号は、アップリンク制御信号生成器とデータ生成器とに与えられる。
【０１１７】
マルチプレクサ１は、コントローラから受信された制御信号によって示される情報に基づいて、ＰＴＲＳ生成器と、データ生成器と、制御チャネル信号生成器とから受信されたＰＴＲＳ信号と、データ信号と、制御信号とを多重化する。
【０１１８】
Ｓ／Ｐコンバータは、マルチプレクサ１から来る信号を並列信号にコンバートし、並列信号をＤＦＴプロセッサまたはマルチプレクサ２に与える。ＤＦＴプロセッサは任意選択であり、ＤＦＴ−ｓ−ＯＦＤＭ波形が端末デバイスのために構成されるときのみ使用される。
【０１１９】
マルチプレクサ２は、（ＤＦＴ−ｓ−ＯＦＤＭ波形のために）ＤＦＴプロセッサまたは（ＯＦＤＭ波形のために）Ｓ／Ｐコンバータから来る信号を、ＤＭＲＳ生成器によって生成されたＤＭＲＳ信号と多重化する。
【０１２０】
マッパーは、マルチプレクサ２によって取得された信号を周波数リソースにマッピングする。ＩＦＦＴプロセッサは、マッピングを通して取得された周波数信号を時間信号にコンバートし、Ｐ／Ｓコンバータは、時間信号を直列化する。
【０１２１】
ＣＰ加算器は、Ｐ／Ｓコンバータによって出力された時間信号にＣＰを加算し、送信アンテナを通してＣＰを搬送する信号を送信する。
【０１２２】
図３に示されているマルチプレクサ１は、図４Ａ、図４Ｂ、および図４Ｃの（ａ）、（ｂ）、および（ｃ）中に含まれる３つの内部構造を有し得る。図４Ａ、図４Ｂ、および図４Ｃ中のデータ生成器と制御信号生成器の両方は、ビットストリームを生成する。図４Ａの（ａ）に示されている構造は、送信されるべきデータとＵＣＩとがマルチプレクサ１ａによって多重化されてビットストリームが取得され、次いで、ビットストリームとＰＴＲＳとがマルチプレクサ１ｂによって多重化されてビットストリームが取得され、次いで、変調器がビットストリーム上でシンボルマッピングを実行することを示す。図４Ｂの（ｂ）に示されている構造は、送信されるべきデータとＵＣＩとがマルチプレクサ１ａによって多重化されてビットストリームが取得され、次いで、変調器がビットストリーム上でシンボルマッピングを実行して、変調されたシンボルを取得し、次いで、変調されたシンボルとＰＴＲＳとがマルチプレクサ１ｂによって多重化されることを示す。図４Ｃの（ｃ）に示されている構造は、変調器が、送信されるべきデータとＵＣＩとの上でシンボルマッピングを最初に実行して、変調されたシンボルを取得し、次いで、変調されたシンボルがマルチプレクサ１ａによって多重化されてビットストリームが取得され、次いで、ビットストリームとＰＴＲＳとがマルチプレクサ１ｂによって多重化されることを示す。
【０１２３】
ネットワークデバイス側上の信号受信および処理手順は、図５を参照すると理解され得る。図５に示されているように、ネットワークデバイスは、アンテナと、サイクリックプレフィックス（ＣＰ）リムーバと、直並列（Ｓ／Ｐ）コンバータと、高速フーリエ変換（ＦＦＴ）プロセッサと、デマッパーと、デマルチプレクサ１と、等化器と、逆離散フーリエ変換（ＩＤＦＴ）プロセッサと、並直列（Ｐ／Ｓ）コンバータと、デマルチプレクサ２と、コントローラと、制御チャネル信号受信機と、チャネル推定器と、データ復調器およびデコーダとを含む。ＣＰリムーバと、Ｓ／Ｐコンバータと、ＦＦＴプロセッサと、デマッパーと、デマルチプレクサ１と、等化器と、ＩＤＦＴプロセッサと、Ｐ／Ｓコンバータと、デマルチプレクサ２と、コントローラと、制御チャネル信号受信機と、チャネル推定器と、データ復調器およびデコーダとは、ソフトウェアによって実装され得るか、または対応するチップ中の回路によって実装され得るか、またはプロセッサにおいて実装され得る。
【０１２４】
コントローラは、全体的な制御を与え、また、デマルチプレクサ２と、ＩＤＦＴプロセッサと、等化器と、制御チャネル信号受信機と、チャネル推定器と、データ復調器およびデコーダとに必要とされる制御信号を生成する。アップリンク制御情報とデータとに関係する制御信号は、制御チャネル信号受信機とデータ復調器およびデコーダとに与えられる。シーケンスインデックスと時間領域サイクリックシフトとを示す制御チャネル信号は、チャネル推定器に与えられる。シーケンスインデックスと時間領域サイクリックシフトとは、ＵＥに割り振られるべきパイロットシーケンスを生成するために使用される。
【０１２５】
デマルチプレクサは、コントローラから受信されたタイミング情報に基づいて、Ｐ／Ｓコンバータから受信された信号を、制御チャネル信号と、データ信号と、パイロット信号とにデマルチプレクスする。デマッパーは、コントローラから受信されたタイミング情報と周波数割振り情報とに基づいて、周波数リソースからそれらの信号を抽出する。
【０１２６】
アンテナを通してＵＥから制御情報を含む信号を受信するとき、ＣＰリムーバは、受信された信号からＣＰを削除する。Ｓ／Ｐコンバータは、ＣＰなしの信号を並列信号にコンバートする。ＤＦＴ−ｓ−ＯＦＤＭ波形では、ＤＦＴプロセッサは、並列信号上でＤＦＦＴ処理を実行する。ＯＦＤＭ波形では、ＤＦＴプロセッサは開始される必要がない。デマッピングがデマッパーによって実行された後に、ＤＦＴ信号は、ＩＦＦＴプロセッサにおいて時間信号にコンバートされる。ＩＦＦＴプロセッサの入出力の大きさは、コントローラから受信される制御信号とともに変化する。Ｐ／Ｓコンバータは、ＩＦＦＴ信号を直列化し、デマルチプレクサは、直列信号を制御チャネル信号と、パイロット信号と、データ信号とにデマルチプレクスする。
【０１２７】
チャネル推定器は、デマルチプレクサから受信された基準信号からチャネル推定を取得する。基準信号はＤＭＲＳおよびＴＰＲＳであり得る。ＴＰＲＳがある場合、ＴＰＲＳは受信されるか、またはＴＰＲＳがない場合、ＴＰＲＳは受信されない。制御チャネル信号受信機は、チャネル推定を通して、デマルチプレクサから受信された制御チャネル信号上でチャネル補償を実行し、端末デバイスによって送られたアップリンク制御情報を取得する。データ復調器およびデコーダは、チャネル推定を通して、デマルチプレクサから受信されたデータ信号上でチャネル補償を実行し、次いで、アップリンク制御情報に基づいて、端末によって送られたデータを取得する。
【０１２８】
上記は、データ送信システムと、端末デバイスと、ネットワークデバイスとの構造について説明している。以下で、端末デバイスとネットワークデバイスとの間の信号送信処理について説明する。
【０１２９】
図６に示されているように、本出願の実施形態において与えられる信号送信方法の実施形態は、以下のステップを含む。
【０１３０】
３０１．端末デバイスが、送信されるべきデータと、アップリンク制御情報と、復調基準信号とを取得する。
【０１３１】
３０２．端末デバイスが、送信されるべきデータと、アップリンク制御情報と、復調基準信号とをマッピングして、多重化されたシンボルを生成する。
【０１３２】
多重化されたシンボルは、離散フーリエ変換拡散直交周波数分割多重ＤＦＴ−ｓ−ＯＦＤＭシンボルまたは直交周波数分割多重ＯＦＤＭシンボルを含む。Ｎ個の第１の多重化されたシンボルは、第２の多重化されたシンボルの片側または両側に位置する。Ｎ個の第１の多重化されたシンボルの各々と第２の多重化されたシンボルとの間のロケーション関係はマッピング条件を満たす。Ｎは、１以上の整数である。第１の多重化されたシンボルは、アップリンク制御情報がマッピングされる多重化されたシンボルである。第２の多重化されたシンボルは、復調基準信号がマッピングされる多重化されたシンボルである。
【０１３３】
多重化されたシンボルは、マッピングを通してデータまたは信号によって占有されるリソース要素である。
【０１３４】
本出願のこの実施形態では、Ｎ個の第１の多重化されたシンボルの各々と第２の多重化されたシンボルとの間のロケーション関係はマッピング条件を満たすことは、Ｎ個の第１の多重化されたシンボルは、第２の多重化されたシンボルに最も近い多重化されたシンボルであることを含む。
【０１３５】
図７に示されているように、上から下へ１つの列中に含まれる１２個のグリッドは、１つの多重化されたシンボル、すなわち、１つのＤＦＴ−ｓ−ＯＦＤＭシンボルまたは１つのＯＦＤＭシンボルを示す。各グリッドは、１つの変調されたシンボルを示す。この例示的なシナリオでは、１つの多重化されたシンボルは、１２個の変調されたシンボルを含む。４０１は、ＤＭＲＳがマッピングされる多重化されたシンボルを示し、４０２は、ＵＣＩがマッピングされる変調されたシンボルを示し、４０３は、データがマッピングされる変調されたシンボルを示す。図７に示されている例示的なシナリオでは、ＰＴＲＳはマッピングされない。図７の（ａ）に示されている例示的なシナリオでは、ＤＭＲＳは、左から第３の多重化されたシンボルにマッピングされる。このシナリオでは、Ｎ＝２であり、ＵＣＩは、ＤＭＲＳが位置する多重化されたシンボルの両側にマッピングされる。したがって、第３の多重化されたシンボルに最も近い２つの多重化されたシンボルは、第２および第４の多重化されたシンボルである。したがって、図７の（ａ）に示されているように、ＵＣＩは、第２および第４の多重化されたシンボルにマッピングされる。Ｎ＝２であり、ＵＣＩは、ＤＭＲＳが位置する多重化されたシンボルの片側にマッピングされるとき、第４および第５の多重化されたシンボルは、第３の多重化されたシンボルに最も近いか、または第１および第２の多重化されたシンボルは、第３の多重化されたシンボルに最も近い。図７の（ｂ）に示されているように、ＵＣＩは、第４および第５の多重化されたシンボルにマッピングされる。片側マッピングの理由は、通常は、ＤＭＲＳの片側上の多重化されたシンボルが端末デバイスのためにスケジュールされないからである。たとえば、図７の（ｂ）では、ＤＭＲＳの右側上の多重化されたシンボルのみが端末デバイスのためにスケジュールされる。
【０１３６】
上記の例示的なシナリオでは、Ｎ＝２である。もちろん、Ｎの値は、実際には１以上の整数であってよい。
【０１３７】
ＵＣＩがマッピングされる多重化されたシンボルは、ＤＭＲＳがマッピングされる多重化されたシンボルに近い。これは、ＵＣＩを迅速に復調するのを助けて、ＵＣＩ復調のパフォーマンスを改善する。
【０１３８】
図７に示されている上記の例示的なシナリオでは、ＰＴＲＳはマッピングされない。ＵＣＩがマッピングされる多重化されたシンボルは、ＤＭＲＳがマッピングされる多重化されたシンボルに最も近いだけでよい。ＰＴＲＳが含まれるとき、ＵＣＩは、最初に、ＰＴＲＳがマッピングされる多重化されたシンボルにマッピングされる必要があり、次いで、ＵＣＩがマッピングされる多重化されたシンボルは、ＤＭＲＳがマッピングされる多重化されたシンボルに最も近いことが保証される必要がある。
【０１３９】
任意選択で、端末デバイスが位相トラッキング信号をさらに取得するとき、位相トラッキング信号は、多重化されたシンボルにさらにマッピングされ、
Ｎ個の第１の多重化されたシンボルの各々と第２の多重化されたシンボルとの間のロケーション関係はマッピング条件を満たすことは、Ｎ個の第１の多重化されたシンボルは、位相トラッキング信号がマッピングされ、第２の多重化されたシンボルに最も近い多重化されたシンボルであることを含む。
【０１４０】
ネットワークデバイスは、復調を通して、多重化されたシンボルから位相トラッキング信号を取得する。
【０１４１】
ＰＴＲＳが、多重化されたシンボルにさらにマッピングされるとき、ＵＣＩは、ＰＴＲＳを含む多重化されたシンボルにマッピングされる必要があり、ＵＣＩがマッピングされる必要がある多重化されたシンボルは、ＤＭＲＳがマッピングされる多重化されたシンボルに最も近い必要がある。もちろん、ＵＣＩとＰＴＲＳとをマッピングするためのマッピングシーケンスは、本出願のこの実施形態では限定されない。最初に、ＰＴＲＳがマッピングされる必要がある、多重化されたシンボル中の、変調されたシンボルが決定され得、次いで、変調されたシンボルは予約され、次いで、ＵＣＩは、多重化されたシンボル中の別の変調されたシンボルにマッピングされる。
【０１４２】
この事例は、図８に示されている例示的なシナリオを参照すると理解され得る。図８において、４０４は、ＰＴＲＳがマッピングされる変調されたシンボルを示す。もちろん、ＰＴＲＳがマッピングされる変調されたシンボルを含む多重化されたシンボルは、ＰＴＲＳがマッピングされる多重化されたシンボルである。
【０１４３】
図８の（ａ）に示されている例示的なシナリオでは、ＤＭＲＳは、左から第３の多重化されたシンボルにマッピングされる。このシナリオでは、Ｎ＝２であり、ＵＣＩは、ＤＭＲＳが位置する多重化されたシンボルの両側にマッピングされる。したがって、ＰＴＲＳを含み、第３の多重化されたシンボルに最も近い２つの多重化されたシンボルは、第１および第５の多重化されたシンボルである。したがって、図８の（ａ）に示されているように、ＵＣＩは、第１および第５の多重化されたシンボルにマッピングされる。Ｎ＝２であり、ＵＣＩは、ＤＭＲＳが位置する多重化されたシンボルの片側にマッピングされるとき、ＰＴＲＳを含み、第３の多重化されたシンボルに最も近い２つの多重化されたシンボルは、第５および第７の多重化されたシンボルである。図８の（ｂ）に示されているように、ＵＣＩは、第５および第７の多重化されたシンボルにマッピングされる。図８の（ｂ）に示されているように、同様に、ＤＭＲＳの右側上の多重化されたシンボルのみが端末デバイスのためにスケジュールされ、ＤＭＲＳの左側上のものは端末デバイスのためにスケジュールされない。
【０１４４】
図８に示されているＰＴＲＳ分散密度は密度１／２であり、すなわち、ＰＴＲＳは、２つの多重化されたシンボルごとにマッピングされる。ＰＴＲＳ分散密度は、代替として１、１／４、または他の密度であり得る。ＰＴＲＳ分散密度は、要件に基づいて決定され得る。
【０１４５】
図９の（ａ）に示されているＰＴＲＳ分散密度は１であり、すなわち、ＰＴＲＳは、あらゆる多重化されたシンボルにマッピングされる。図９の（ｂ）に示されているＰＴＲＳ分散密度は１／４であり、すなわち、ＰＴＲＳは、４つの多重化されたシンボルごとにマッピングされる。
【０１４６】
ＰＴＲＳが端末デバイスのアップリンク送信中に送信されるとき、ＵＣＩがマッピングされるときＰＴＲＳとデータとが挿入されなかった場合、ＵＣＩとＰＴＲＳとの間の衝突を回避するために、ＰＴＲＳに対応するビットロケーションにプレースホルダが挿入され得る。
【０１４７】
３０３．端末デバイスが、物理アップリンク共有チャネル上で、多重化されたシンボルを送信する。
【０１４８】
３０４．端末デバイスによって送られた多重化されたシンボルを受信した後に、ネットワークデバイスが、復調を通して、多重化されたシンボルから、端末デバイスによって送信されるデータと、アップリンク制御情報と、復調基準信号とを取得する。
【０１４９】
任意選択で、第１の多重化されたシンボルは、複数の変調されたシンボルを含む。複数の変調されたシンボルは、アップリンク制御情報の変調されたシンボルと、データの変調されたシンボルとを含む。データの変調されたシンボルは、送信されるべきデータがマッピングされる変調されたシンボルを含むか、またはデータの変調されたシンボルは、送信されるべきデータがマッピングされる変調されたシンボルと、位相トラッキング基準信号がマッピングされる変調されたシンボルとを含む。
【０１５０】
多重化されたシンボルがＯＦＤＭシンボルであるとき、アップリンク制御情報の変調されたシンボルは、均一の間隔で複数の変調されたシンボル中に分散される。
【０１５１】
アップリンク制御情報の変調されたシンボルは、ＵＣＩがマッピングされる変調されたシンボルである。データの変調されたシンボルは、送信されるべきデータがマッピングされる変調されたシンボル、または送信されるべきデータと位相トラッキング基準信号（Ｐｈａｓｅ  Ｔｒａｃｋｉｎｇ  Ｒｅｆｅｒｅｎｃｅ  Ｓｉｇｎａｌ、ＰＴＲＳ）とがマッピングされる変調されたシンボルである。ＵＣＩの変調されたシンボルについて、Ｑ個のデータの変調されたシンボルの間隔で、Ｍ個のＵＣＩの変調されたシンボルごとに分散され得る。Ｑは、１以上の整数であり、Ｍは、１以上の整数であり、Ｍは、１または２に等しくなり得る。データの変調されたシンボルとアップリンク制御情報の変調されたシンボルへのマッピングは、図１０の（ａ）および（ｂ）を参照すると理解され得る。図１０の（ａ）は、１つのＤＦＴ−ｓ−ＯＦＤＭシンボルまたは１つのＯＦＤＭシンボルに対応する、１つの多重化されたシンボルを含む。図１０の（ｂ）は、１つのＤＦＴ−ｓ−ＯＦＤＭシンボルまたは１つのＯＦＤＭシンボルに対応する、１つの多重化されたシンボルを含む。たとえば、図１０の（ａ）は、Ｍ＝２であるときのパターンを示し、図１０の（ｂ）は、Ｍ＝１であるときのパターンを示す。たとえば、Ｍ×Ｑ個のＵＣＩの変調されたシンボルが、１つのＯＦＤＭシンボルまたは１つのＤＦＴ−ｓ−ＯＦＤＭシンボルにマッピングされる場合、Ｍ×Ｑ個のＵＣＩの変調されたシンボルは、Ｑ個のグループに分割される。各グループはＭ個のシンボルを含む。ＵＣＩの変調されたシンボルのＱ個のグループは、周波数領域中に一様に分散される。たとえば、図１０の（ａ）では、Ｑ＝４、およびＭ＝２であり、図１０の（ｂ）では、Ｑ＝８、およびＭ＝１である。
【０１５２】
データの変調されたシンボルとＵＣＩの変調されたシンボルとへのマッピングを実行するためのこのマッピング方式は、ＯＦＤＭ波形が周波数領域ダイバーシティ利得を取得することを保証し、それにより、復調のパフォーマンスを改善することができる。加えて、ＤＦＴ−ｓ−ＯＦＤＭとＯＦＤＭのために同じ設計原理を使用することは、プロトコルの複雑さを低減することができる。
【０１５３】
データの変調されたシンボルとアップリンク制御情報の変調されたシンボルとへのマッピングを実行するためのマッピング方式は、均一個別マッピング方式と呼ばれることもある。
【０１５４】
以下で、図１１を参照しながらＤＦＴ−ｓ−ＯＦＤＭのための均一個別マッピング方式について説明する。図１１では、Ｍ＝１である。図１１の（ａ）は、ＤＦＴが実行される前のリソースグリッド図である。上から下へ１つの列中に含まれる１２個のグリッドは、１つのＤＦＴ−ｓ−ＯＦＤＭシンボルまたは１つのＯＦＤＭシンボルに対応する、１つの多重化されたシンボルを示す。ＤＦＴ−ｓ−ＯＦＤＭ波形では、ＵＣＩマッピングは時間領域マッピングである。図１１の（ａ）に示されているように、４０１は、予約されたＤＭＲＳシンボルを示し、４０２は、ＵＣＩがマッピングされるＵＣＩシンボルを示し、４０３は、データがマッピングされるデータシンボルを示す。ＵＣＩがマッピングされた後に、ＤＦＴが実行されて、図１１の（ｂ）が取得される。図１１の（ｂ）において、４０１は、ＤＦＴが実行された後に挿入されるＤＭＲＳを示し、４０４によって示される別のシンボルは、周波数領域リソース要素であり、ＤＦＴ変換がデータとＵＣＩとの上で実行された後に取得される値である。
【０１５５】
図１２は、ＯＦＤＭのための均一個別マッピングを示す。ＯＦＤＭのためのＤＦＴ処理はなく、ＤＭＲＳ、ＵＣＩなどはすべて周波数領域中に挿入される。４０１は、ＤＭＲＳがマッピングされるシンボルを示し、４０２は、ＵＣＩがマッピングされるシンボルを示し、４０３は、データがマッピングされるシンボルを示す。
【０１５６】
均一個別マッピングは、ＵＣＩの変調されたシンボル間の間隔が均一であることを示すが、マッピング開始ロケーションは限定されないことに留意されたい。たとえば、図１２におけるＤＭＲＳの両側上のＵＣＩマッピング開始ロケーションは異なるが、両方のマッピング方式は均一個別マッピングに属する。
【０１５７】
任意選択で、本出願のこの実施形態において与えられる信号送信方法の別の実施形態では、本方法は、
端末デバイスによって、送信されるべきデータのための変調方式に基づいてアップリンク制御情報のための変調方式を決定するステップと、
端末デバイスによって、送信されるべきデータのための変調方式とアップリンク制御情報のための変調方式とに基づいて、送信されるべきデータとアップリンク制御情報とをそれぞれ変調するステップと
をさらに含む。
【０１５８】
端末デバイスによって、送信されるべきデータのための変調方式に基づいてアップリンク制御情報のための変調方式を決定するステップは、
多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであること、または
多重化されたシンボルがＯＦＤＭシンボルである場合、送信されるべきデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むこと
を含む。
【０１５９】
対応して、ネットワークデバイスについて、本出願のこの実施形態において与えられる信号送信方法の別の実施形態では、本方法は、
ネットワークデバイスによって、送信されたデータのための変調方式に基づいてアップリンク制御情報のための変調方式を決定するステップ
をさらに含み得、
復調を通して、多重化されたシンボルからネットワークデバイスによって、端末デバイスによって送信されるデータと、アップリンク制御情報と、復調基準信号とを取得するステップは、
ネットワークデバイスによって、送信されたデータのための変調方式に基づいて復調を通して、多重化されたシンボルから、送信されたデータを取得するステップと、アップリンク制御情報のための変調方式に基づいて復調を通して第１の多重化されたシンボルから、端末デバイスによって送られたアップリンク制御情報を取得するステップと
を含む。
【０１６０】
ネットワークデバイスによって、送信されたデータのための変調方式に基づいてアップリンク制御情報のための変調方式を決定するステップは、
多重化されたシンボルがＤＦＴ−ｓ−ＯＦＤＭシンボルである場合、送信されるデータがπ／２  ２位相シフトキーイングＢＰＳＫの方式で変調されるとき、アップリンク制御情報のための変調方式は、π／２ＢＰＳＫであること、または
多重化されたシンボルがＯＦＤＭシンボルである場合、送信されるデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むこと
を含む。
【０１６１】
送信されるべきデータのための変調方式とＵＣＩのための変調方式との間の関係の記述は、表の形式で表され得る。たとえば、表１は、ＬＴＥにおけるデータのための変調方式とＵＣＩのための変調方式との間の関係を示し、表２は、ＮＲにおけるＤＦＴ−ｓ−ＯＦＤＭについてのデータのための変調方式とＵＣＩのための変調方式との間の関係を示し、表３は、ＮＲにおけるＯＦＤＭについてのデータのための変調方式とＵＣＩのための変調方式との間の関係を示す。
【０１６２】
【表１】
0006985422.tif 000002
【０１６３】
表１において、最外コンスタレーションポイントは１６ＱＡＭのために使用される。図１３に示されているように、１６ＱＡＭはＱＰＳＫ変調と等価である。最外コンスタレーションポイントが使用されるとき、６４ＱＡＭもＱＰＳＫ変調と等価である。
【０１６４】
【表２】
0006985422.tif 000003
【０１６５】
表２において、最外コンスタレーションポイントは１６ＱＡＭのために使用される。図１３に示されているように、１６ＱＡＭはＱＰＳＫ変調と等価である。最外コンスタレーションポイントが使用されるとき、６４ＱＡＭもＱＰＳＫ変調と等価である。
【０１６６】
【表３】
0006985422.tif 000004
【０１６７】
表３において、ＱＰＳＫ変調は、１６ＱＡＭと６４ＱＡＭとのために直接使用される。
【０１６８】
ＬＴＥでは、データと、ＲＩおよびＨＡＲＱ以外のＵＣＩ情報とのために、同じ変調方式および同じ電力割振りが使用される。ＲＩおよびＨＡＲＱ情報のために、ＱＰＳＫ変調が常に使用され、データのために１６ＱＡＭ変調と６４ＱＡＭ変調とが使用されるとき、ＵＣＩは、ブーストされた電力でＱＰＳＫ変調を使用することと等価である、最外コンスタレーションポイント上で送られる。
【０１６９】
表２に示されているように、ＮＲでは、ＤＦＴ−ｓ−ＯＦＤＭ波形のためにπ／２ＢＰＳＫ変調が使用される。データのためにπ／２ＢＰＳＫ変調が使用されるとき、低いＰＡＰＲを維持するために、すべてのＵＣＩのための変調方式はπ／２ＢＰＳＫに限定されるべきである。最外コンスタレーションポイントが使用されるとき、１６ＱＡＭ変調と６４ＱＡＭ変調とは、ＱＰＳＫ変調に劣化させられ得る。これは、ＰＵＳＣＨ上でＰＡＰＲを改善することなしに、重要なＵＣＩの電力を改善することができる。
【０１７０】
ＯＦＤＭ波形では、データのためにπ／２ＢＰＳＫ変調は使用されない。ＵＣＩのための変調方式は、表３に示されており、ＬＴＥにおける変調方式と基本的に同じである。しかしながら、ＯＦＤＭのためのシンボル電力を改善する方式は、ＤＦＴ−ｓ−ＯＦＤＭのためのものとは異なり、最外コンスタレーションポイントは使用される必要がないが、ＱＰＳＫ変調は直接使用され得る。これは、指定された値だけシンボル電力を直接改善することができる。
【０１７１】
ＯＦＤＭ波形では、ＵＣＩのための変調方式はよりフレキシブルに選択される。ＣＱＩおよびＰＭＩなどの情報のための変調方式は、データのための変調方式と一致するように保たれ得、ロバストネスを改善するために、ＱＰＳＫ変調は、ＲＩおよびＨＡＲＱフィードバック情報のために依然として使用され得る。加えて、ＯＦＤＭ波形では、電力改善値は、異なるＵＣＩのために独立して構成され得る。ＯＦＤＭでは、データシンボルに対する電力オフセットがＵＣＩシンボルについて指定され得る。ＵＣＩの電力を改善することによって復調のパフォーマンスが改善され得る。
【０１７２】
ＵＣＩ情報は、通常、１ビットまたは２ビットのみを含む。１ビットまたは２ビットのＵＣＩ情報のための変調方式は以下を含む。
【０１７３】
ＬＴＥでは、ＵＣＩ（１ビットまたは２ビットのＨＡＲＱおよびＲＩ）のための変調方式はＵＣＩ符号化段において実装される。詳細はＬＴＥのための以下の表に示されている。表中の第１の列はデータ変調次数を示し、２、４、および６は、ＱＰＳＫ、１６ＱＡＭ、および６４ＱＡＭにそれぞれ対応する。
【０１７４】
【数１】
0006985422.tif 000005
および
【０１７５】
【数２】
0006985422.tif 000006
は、２つのＨＡＲＱ情報ビットを示し、
【０１７６】
【数３】
0006985422.tif 000007
であり、ｙおよびｘは、プレースホルダであり、最後のＨＡＲＱ情報のためにＱＰＳＫ変調が使用されることと、１６ＱＡＭと６４ＱＡＭとのために最外コンスタレーションポイントが使用されることとを保証することができる。
【０１７７】
【表４】
0006985422.tif 000008
【０１７８】
【表５】
0006985422.tif 000009
【０１７９】
ＮＲでは、π／２ＢＰＳＫ変調が導入された後、表は以下にそれぞれ修正される。
【０１８０】
【表６】
0006985422.tif 000010
【０１８１】
【表７】
0006985422.tif 000011
【０１８２】
表６および表７において、データのためにより高い変調次数におけるＱＰＳＫもしくは変調方式が使用されるとき、ＵＣＩのために常にＱＰＳＫ変調が使用され、最外コンスタレーションポイントが使用されるか、またはデータのためにπ／２ＢＰＳＫ変調が使用されるとき、ＵＣＩのためにπ／２ＢＰＳＫ変調が使用される。
【０１８３】
ＨＡＲＱのための手順と同じである手順が、１ビットまたは２ビットのＲＩのために使用されることに留意されたい。詳細について本明細書で繰り返し説明されない。
【０１８４】
ＤＭＲＳは、フロントロードされたＤＭＲＳの多重化されたシンボルを含む。フロントロードされたＤＭＲＳの多重化されたシンボルは、ＬＴＥにおける２つの個別ＤＭＲＳの多重化されたシンボルとは異なる、単一のＤＭＲＳの多重化されたシンボルまたは２つの連続するＤＭＲＳの多重化されたシンボルである。この場合、ＲＩおよびＨＡＲＱフィードバック情報のうちの少なくとも１つは、フロントロードされたＤＭＲＳの多重化されたシンボルの両側上の２つの多重化されたシンボルにのみマッピングされる。
【０１８５】
端末デバイスが、フロントロードされたＤＭＲＳの多重化されたシンボルのみを有するとき、ＲＩおよびＨＡＲＱフィードバック情報は、ＤＭＲＳに最も近いシンボルにマッピングされる。
【０１８６】
高速シナリオのための追加のＤＭＲＳ（Ａｄｄｉｔｉｏｎａｌ  ＤＭＲＳ）が端末デバイスのために構成されるとき、いくつかのＲＩおよびＨＡＲＱフィードバック情報は、フロントロードされたＤＭＲＳの両側にマッピングされ、残りのＲＩおよびＨＡＲＱフィードバック情報は、追加のＤＭＲＳの両側にマッピングされる。
【０１８７】
端末デバイスは追加のＤＭＲＳを有しないが、ＰＴＲＳが端末デバイスのために構成されるとき、ＲＩおよびＨＡＲＱフィードバック情報は、ＰＴＲＳを含むＯＦＤＭシンボルまたはＤＦＴ−ｓ−ＯＦＤＭシンボルにマッピングされる。
【０１８８】
図１４は、フロントロードされたＤＭＲＳと、ＵＣＩと、追加の（ａｄｄｉｔｉｏｎａｌ）ＤＭＲＳと、位相トラッキング基準信号ＰＴＲＳと、アップリンクデータとのマッピングロケーションを示す。ＯＦＤＭ波形が使用される。ＵＣＩのロケーションは、優先的にＤＭＲＳに近いべきであり、次いで、追加のＤＭＲＳに近く、最後に、ＰＴＲＳが位置するシンボルにマッピングされる。ＤＦＴ−ｓ−ＯＦＤＭのためのマッピング方式のアイデアは、ＯＦＤＭのためのものと同じである。違いは、ＵＣＩとＰＴＲＳとが時間領域中にマッピングされることにある。
【０１８９】
ＮＲでは、ＰＴＲＳ信号は、一部または全部のＯＦＤＭまたはＤＦＴ−ｓ−ＯＦＤＭ波形のために構成される。図１４は、ＵＣＩマッピングに対するＤＭＲＳおよびＰＴＲＳシンボルの影響を示している。
【０１９０】
ＣＱＩおよびＰＭＩなどのＵＣＩは、マッピングを可能にするすべてのシンボルにマッピングされるべきである。ＲＩおよびＨＡＲＱフィードバックなどの重要なＵＣＩのマッピングロケーションを決定するために基準信号のロケーションが考慮される必要がある。
【０１９１】
送信されるべきデータのための変調方式に基づいて端末デバイスがアップリンク制御情報のための変調方式を決定する上記の信号送信処理は、図１５を参照するとさらによく理解され得る。
【０１９２】
図１５に示されているように、本出願の実施形態において与えられる信号送信方法の実施形態は、以下のステップを含む。
【０１９３】
５０１．端末デバイスが、送信されるべきデータとアップリンク制御情報とを取得する。
【０１９４】
５０２．端末デバイスが、送信されるべきデータのための変調方式に基づいてアップリンク制御情報のための変調方式を決定する。
【０１９５】
端末デバイスによって、送信されるべきデータのための変調方式に基づいてＵＣＩのための変調方式を決定するステップは、多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されるべきデータが直交振幅変調（Ｑｕａｄｒａｔｕｒｅ  Ａｍｐｌｉｔｕｄｅ  Ｍｏｄｕｌａｔｉｏｎ、ＱＡＭ）の方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含み得る。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は１ビットまたは２ビットを含む。ＲＩ情報も、特定のビット量よりも少ないビット量をもつＲＩ情報であり、たとえば、ＲＩ情報は１ビットまたは２ビットを含む。ＱＡＭは、１６ＱＡＭ、６４ＱＡＭ、２５６ＱＡＭなどを含む。ＱＰＳＫは、標準プリセットＱＰＳＫコンスタレーション図であり、ＱＡＭの最外コンスタレーションポイントとは異なり得る。データ変調方式は、変調次数、たとえば、π／２ＢＰＳＫ、ＱＰＳＫ、１６ＱＡＭ、６４ＱＡＭ、および２５６ＱＡＭにそれぞれ対応する変調次数Ｑm１、２、４、６、および８によってさらに示され得る。第３の態様の第１の可能な実装から、アップリンク制御情報のための変調方式がπ／２ＢＰＳＫであるとき、送信されるべきデータのＰＡＰＲが増加せず、アップリンク制御情報中の第１のタイプの情報のための変調方式が４位相シフトキーイングＱＰＳＫであるとき、変調ロバストネスが改善され得ることがわかり得る。
【０１９６】
５０３．端末デバイスが、送信されるべきデータのための変調方式とアップリンク制御情報のための変調方式とに基づいて、送信されるべきデータとアップリンク制御情報とをそれぞれ変調する。
【０１９７】
５０４．物理アップリンク共有チャネル上で、変調された送信されるべきデータと制御情報とを送信する。
【０１９８】
５０５．端末デバイスによって送られた変調され送信されたデータとアップリンク制御情報とを受信した後に、ネットワークデバイスが、送信されたデータのための変調方式に基づいてアップリンク制御情報のための変調方式を決定する。
【０１９９】
ネットワークデバイスによって、送信されるデータのための変調方式に基づいてアップリンク制御情報のための変調方式を決定するステップは、多重化されたシンボルがＤＦＴ−ｓ−ＯＦＤＭシンボルである場合、送信されるデータがπ／２  ２位相シフトキーイングＢＰＳＫの方式で変調されるとき、アップリンク制御情報のための変調方式は、π／２ＢＰＳＫであること、または多重化されたシンボルがＯＦＤＭシンボルである場合、送信されるデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含むことを含み得る。多重化されたシンボルがＤＦＴ−ｓ−ＯＦＤＭシンボルである場合、送信されるべきデータがπ／２ＢＰＳＫの方式で変調されないとき、アップリンク制御情報のための変調方式は、ＱＰＳＫであり得る。ＵＣＩは、第１のタイプの情報と第２のタイプの情報とを含み得る。第１のタイプの情報は、ＲＩとＨＡＲＱ指示とを含み得る。第２のタイプの情報は、ＣＱＩ、ＰＭＩ、ＣＳＩ、ＣＲＩなどを含み得る。ＨＡＲＱ指示は、特定のビット量よりも少ないビット量をもつＨＡＲＱ情報であり、たとえば、ＨＡＲＱ情報は１ビットまたは２ビットを含む。ＲＩ情報も、特定のビット量よりも少ないビット量をもつＲＩ情報であり、たとえば、ＲＩ情報は１ビットまたは２ビットを含む。ＱＡＭは、１６ＱＡＭ、６４ＱＡＭ、２５６ＱＡＭなどを含む。ＱＰＳＫは、標準プリセットＱＰＳＫコンスタレーション図であり、ＱＡＭの最外コンスタレーションポイントとは異なり得る。データ変調方式は、変調次数、たとえば、π／２ＢＰＳＫ、ＱＰＳＫ、１６ＱＡＭ、６４ＱＡＭ、および２５６ＱＡＭにそれぞれ対応する変調次数Ｑm１、２、４、６、および８によってさらに示され得る。第４の態様の第１の可能な実装から、アップリンク制御情報のための変調方式がπ／２ＢＰＳＫであるとき、送信されるべきデータのＰＡＰＲが増加せず、アップリンク制御情報中の第１のタイプの情報のための変調方式が４位相シフトキーイングＱＰＳＫであるとき、変調ロバストネスが改善され得ることがわかり得る。
【０２００】
５０６．ネットワークデバイスが、送信されたデータのための変調方式に基づいて、送信されたデータを復調し、アップリンク制御情報のための変調方式に基づいてアップリンク制御情報を復調する。
【０２０１】
加えて、本出願の実施形態では、ＤＦＴ−ｓ−ＯＦＤＭ波形を使用することによってアップリンクデータが送信されるとき、π／２ＢＰＳＫの方式における変調は、アップリンクデータのＰＡＰＲを低減することができる。復調基準信号ＤＭＲＳが物理アップリンク共有チャネルにマッピングされ、アップリンクデータとともに送信される場合、ＤＭＲＳは、アップリンクデータのＰＡＰＲの増加を引き起こす。したがって、ＤＭＲＳがアップリンクデータのＰＡＰＲを増加させるのを防ぐために、本出願の実施形態は、図１６に示されている処理解決策を与える。
【０２０２】
図１６に示されているように、本出願の実施形態において与えられる信号送信方法の実施形態は、以下のステップを含む。
【０２０３】
６０１．端末デバイスが、送信されるべきデータと復調基準信号とを取得する。
【０２０４】
復調基準信号ＤＭＲＳは、アップリンク制御とデータチャネルとに関係する復調のために使用される。
【０２０５】
送信されるべきデータと復調基準信号とのために使用される波形は、離散フーリエ変換拡散直交周波数分割多重ＤＦＴ−ｓ−ＯＦＤＭ波形であり、送信されるべきデータのための変調方式は、π／２  ２位相シフトキーイングＢＰＳＫ変調である。
【０２０６】
ＢＰＳＫは、アナログ信号をデータ値にコンバートするコンバージョン方式のうちの１つであり、異なる位相とともに複素数値波形を使用することによって情報位相シフトキーイングを表す方式である。ＢＰＳＫでは基準正弦波と位相反転波とが使用される。２値（１ビット）の情報が送られ得るかまたは受信され得るように、基準正弦波と位相反転波とのうちの一方は０であり、他方は１である。
【０２０７】
π／２ＢＰＳＫは、ＢＰＳＫに基づいてπ／２だけ位相を回転することを意味する。
【０２０８】
６０２．端末デバイスが、物理アップリンク共有チャネル上で第１の送信電力で復調基準信号を送信し、第２の送信電力で、送信されるべきデータを送信し、第１の送信電力と第２の送信電力との間にオフセットがある。
【０２０９】
第１の電力はＰ１を使用することによって表され得、第２の電力はＰ２を使用することによって表され得、オフセットはＸＦを使用することによって表され得る。Ｐ１と、Ｐ２と、ＸＦとの間の関係は、Ｐ２−Ｐ１＝ＸＦとして表され得る。ＸＦの値は、正、負、または０であり得る。
【０２１０】
Ｐ２は、送信されるべきデータの送信電力であり、Ｐ２は端末デバイスによって決定され得る。たとえば、端末デバイスは、現在の送信能力に基づいてＰ２を計算し得るか、または端末デバイスは、Ｐ２を取得するために現在の送信電力に基づいて調整を実行する。端末デバイスは、通常、最大送信電力を有し、端末デバイスは、最大送信電力の範囲内で適切な送信電力を選択し得る。代替として、Ｐ２は、基地局とともに端末デバイスによって決定され得る。たとえば、端末デバイスの現在の送信電力はＰ０である。基地局が、シグナリングメッセージを使用することによって、Ｙだけ送信電力を増加させるように端末デバイスに命令する場合、Ｐ２＝Ｐ０＋Ｙであるか、または基地局が、シグナリングメッセージを使用することによって、Ｙだけ送信電力を減少させるように端末デバイスに命令する場合、Ｐ２＝Ｐ０−Ｙである。送信電力の単位はｄＢである。
【０２１１】
Ｐ２が決定された後、ＸＦの値が決定される場合、Ｐ１は、Ｐ１と、Ｐ２と、ＸＦとの間の関係に基づいて決定され得る。
【０２１２】
物理アップリンク共有チャネルＰＵＳＣＨはデータチャネルである。
【０２１３】
６０３．端末デバイスによって送信される変調されたデータと変調された復調基準信号とを受信した後に、ネットワークデバイスが、送信されたデータと復調基準信号とを復調する。
【０２１４】
送信されるデータと復調基準信号とのために使用される波形は、離散フーリエ変換拡散直交周波数分割多重ＤＦＴ−ｓ−ＯＦＤＭ波形であり、送信されるデータのための変調方式は、π／２  ２位相シフトキーイングＢＰＳＫ変調である。
【０２１５】
本出願のこの実施形態では、ＸＦとＰ１との値を決定するために以下のいくつかの解決策がある。以下で、解決策について個別に説明する。
【０２１６】
解決策１：第１の送信電力は端末デバイスによって決定され、第１の送信電力は第２の送信電力よりも小さい。
【０２１７】
解決策１は電力バックオフ解決策である。解決策１では、電力バックオフの範囲または特定の値は規定されず、すなわち、ＸＦの値またはＸＦの値範囲は規定されない。Ｐ１の値は、端末デバイスによって完全に決定され、言い換えれば、Ｐ１がＰ２よりも小さいことが満たされるだけでよい。
【０２１８】
解決策２：第１の送信電力は端末デバイスによって決定され、オフセットは値Ｘよりも小さく、第１の送信電力は第２の送信電力よりも小さく、オフセットは調整範囲内に入る。Ｘは、プリセット値であるか、またはネットワークデバイスによって端末デバイスに通知される。Ｘは、シグナリングを使用することによってネットワークデバイスによって端末デバイスに配信される。
【０２１９】
解決策２では、Ｐ１はＰ２よりも小さく、Ｐ１のバックオフ範囲は事前に規定される。たとえば、Ｐ１がＰ２よりも小さく、Ｐ２−Ｘ以上であることが事前に規定される。この場合、値は、Ｐ１としてＰ２とＰ−Ｘとの間で選択されるだけでよい。たとえば、Ｘ＝３ｄＢ、およびＰ２＝１８ｄＢである。この場合、値は、Ｐ１として１８ｄＢと１５ｄＢとの間で選択されるだけでよい。Ｐ１は、１６ｄＢもしくは１７ｄＢであり得るか、またはもちろん、この範囲内の別の値であり得る。
【０２２０】
Ｘの値は、プリセット値であり得るか、またはシグナリングを使用することによって基地局によって端末デバイスに通知され得る。たとえば、Ｘの値は、無線リソース制御（Ｒａｄｉｏ  Ｒｅｓｏｕｒｃｅ  Ｃｏｎｔｒｏｌ、ＲＲＣ）またはダウンリンク制御情報（英語ではＤｏｗｎｌｉｎｋ  Ｃｏｎｔｒｏｌ  Ｉｎｆｏｒｍａｔｉｏｎ、略してＤＣＩ）シグナリングを使用することによって基地局によって端末デバイスに通知され得る。もちろん、Ｘの値は、代替として、ＲＲＣシグナリングまたはＤＣＩシグナリングに限定されない、他のシグナリングまたは別のメッセージを使用することによって端末デバイスに通知され得る。代替として、Ｘの推奨される値が、端末デバイスによって基地局に報告され得、基地局はその値を確認し、値を端末デバイスに通知する。
【０２２１】
解決策３：オフセットはプリセット値であり、復調基準信号の異なる構成情報は、異なるオフセットに対応する。
【０２２２】
具体的には、第１の送信電力は、第２の送信電力とオフセットとに基づいて決定され、オフセットは、復調基準信号の構成情報に対応し、異なる構成情報は、異なるオフセットに対応する。
【０２２３】
解決策３では、電力のバックオフの特定の値が規定され、この値はＤＭＲＳ構成に関係する。たとえば、図１７の（ａ）に示されているように、ＤＭＲＳが周波数領域において連続的にマッピングされる場合、Ｐ２とＰ１との間の電力差、すなわち、Ｐ２−Ｐ１は、Ｘ１であり、図１７の（ｂ）に示されているように、ＤＭＲＳが１／２の密度に基づいてコム形式でマッピングされる場合、Ｐ２とＰ１との間の電力差、すなわち、Ｐ２−Ｐ１は、Ｘ２であり、図１７の（ｃ）に示されているように、ＤＭＲＳが１／４の密度に基づいてコム形式でマッピングされる場合、Ｐ２とＰ１との間の電力差、すなわち、Ｐ２−Ｐ１は、Ｘ３である。Ｘ１、Ｘ２、およびＸ３の値は異なる。特に、本明細書での電力は、リソース要素単位エネルギー（ＥＰＲＥ）であり、電力差はＥＰＲＥ差である。本明細書では、特定の例が与えられる。Ｐ２＝１８ｄＢ、Ｘ１＝３ｄＢ、Ｘ２＝０ｄＢ、およびＸ３＝−３ｄＢの場合、Ｘ１＝３ｄＢであるとき、対応して、Ｐ１＝１８−３＝１５ｄＢであり、Ｘ２＝０ｄＢであるとき、対応して、Ｐ１＝１８−０＝１８ｄＢであり、Ｘ３＝−３ｄＢであるとき、対応して、Ｐ１＝１８−（−３）＝２１ｄＢである。解決策３のこのシナリオでは、Ｐ１がＰ２よりも小さいとき、ＤＭＲＳがアップリンクデータとともにＰＵＳＣＨ上で送信されるとき、アップリンクデータのＰＡＰＲに対するＤＭＲＳのＰＡＰＲの影響は低減され得る。Ｐ１がＰ２よりも大きいとき、言い換えれば、アップリンクデータのＰＡＰＲに対するＤＭＲＳのＰＡＰＲの影響が比較的小さいとき、ＤＭＲＳの送信電力を改善することによって全体的な送信のパフォーマンスが改善され得る。
【０２２４】
解決策４：オフセットはプリセット値であり、異なるスケジュールされた帯域幅は、異なるオフセットに対応する。スケジュールされた帯域幅に対応する送信リソースは、送信されるべきデータと復調基準信号とを送信するために使用される。
【０２２５】
解決策４では、第１の送信電力は、第２の送信電力とオフセットとに基づいて決定され、オフセットは、スケジュールされた帯域幅に対応し、異なるスケジュールされた帯域幅は、異なるオフセットに対応する。スケジュールされた帯域幅に対応する送信リソースは、送信されるべきデータと復調基準信号とを送信するために使用される。
【０２２６】
解決策４では、電力調整の特定の値、すなわち、ＸＦの値が規定される。ＰＡＰＲは、スケジュールされた帯域幅との比較的強い相関を有するので、ＸＦの値は、スケジュールされた帯域幅に関係する。スケジュールされた帯域幅は、アップリンクデータとＤＭＲＳとを送信するための利用可能な帯域幅である。たとえば、スケジュールされた帯域幅と電力バックオフ値との間の相関が、表４に基づいて確立され得る。端末デバイスは、現在のスケジュールされた帯域幅に基づいてＸの値を選択する。
【０２２７】
【表８】
0006985422.tif 000012
【０２２８】
この場合、スケジュールされた帯域幅Ｎ＜Ｎ１であるとき、ＸＦ＝Ｘ１、およびＰ１＝Ｐ２−Ｘ１であるか、Ｎ１≦スケジュールされた帯域幅Ｎ＜Ｎ２であるとき、ＸＦ＝Ｘ２、およびＰ１＝Ｐ２−Ｘ２であるか、またはスケジュールされた帯域幅Ｎ≧Ｎ２であるとき、ＸＦ＝Ｘ３、およびＰ１＝Ｐ２−Ｘ３である。
【０２２９】
上記は、ＤＭＲＳがアップリンクデータとともにＰＵＳＣＨ上で送信されるとき、アップリンクデータのＰＡＰＲの増加を回避するために、ＤＭＲＳの送信電力Ｐ１が調整される解決策について説明している。本出願の実施形態は、ＤＭＲＳがアップリンクデータとともにＰＵＳＣＨ上で送信されるとき、アップリンクデータのＰＡＰＲの増加を回避するために、図１８に示されている別の解決策をさらに与える。
【０２３０】
図１８に示されているように、本出願の実施形態において与えられる信号送信方法の実施形態は、以下のステップを含む。
【０２３１】
７０１．端末デバイスが、送信されるべきデータと復調基準信号とを取得する。
【０２３２】
送信されるべきデータと復調基準信号とのために使用される波形は、離散フーリエ変換拡散直交周波数分割多重ＤＦＴ−ｓ−ＯＦＤＭ波形であり、送信されるべきデータのための変調方式は、π／２  ２位相シフトキーイングＢＰＳＫ変調である。
【０２３３】
７０２．端末デバイスが、第１のフィルタモードを使用することによって、送信されるべきデータ上で周波数領域スペクトル整形ＦＤＳＳ処理を実行し、第２のフィルタモードを使用することによって復調基準信号上でＦＤＳＳ処理を実行する。
【０２３４】
第１のフィルタモードのロールオフの程度は、第２のフィルタモードのロールオフの程度よりも高い。
【０２３５】
７０３．端末デバイスが、物理アップリンク共有チャネル上で、ＦＤＳＳ処理を通して取得された送信されるべきデータと復調基準信号とを送信する。
【０２３６】
７０４．端末デバイスによって送信されるデータと復調基準信号とを受信した後に、ネットワークデバイスが、送信されたデータと復調基準信号とを復調する。
【０２３７】
送信されたデータと復調基準信号とのために使用される波形は、離散フーリエ変換拡散直交周波数分割多重ＤＦＴ−ｓ−ＯＦＤＭ波形である。送信されたデータのための変調方式は、π／２  ２位相シフトキーイングＢＰＳＫ変調である。端末デバイスは、第１のフィルタモードを使用することによって、送信されるデータ上で周波数領域スペクトル整形ＦＤＳＳ処理を実行しており、端末デバイスは、第２のフィルタモードを使用することによって復調基準信号上で周波数領域スペクトル整形ＦＤＳＳ処理を実行している。
【０２３８】
ＦＤＳＳ処理手順では、データまたは信号のＰＡＰＲが低減され得るように、データまたは信号はフィルタ処理される。ＤＭＲＳの目的は、チャネル推定を実行し、ＤＭＲＳによって占有されるサブキャリア上の電力が過度に低くならないようにすることである。したがって、ＰＡＰＲが低減されている間、フィルタの周波数領域応答は可能な限りフラットになるはずである。しかしながら、アップリンクデータ上でＦＤＳＳ処理を実行する目的は、主にＰＡＰＲを低減することである。したがって、アップリンクデータを処理するために比較的高い周波数領域のロールオフの程度をもつフィルタが使用され得、ＤＭＲＳを処理するために比較的フラットなフィルタが使用される。図１９は、アップリンクデータとＤＭＲＳとのためのＦＤＳＳフィルタの周波数領域応答の概略図である。図１９の（ａ）に示されているＰＵＳＣＨでは、比較的高いロールオフの程度をもつフィルタが使用される。図１９の（ｂ）に示されているＤＭＲＳでは、比較的フラットなフィルタが使用される。
【０２３９】
したがって、第１のフィルタモードは、アップリンクデータを処理するために使用され得、第２のフィルタモードは、ＤＭＲＳを処理するために使用される。第１のフィルタモードおよび第２のフィルタモードでは、アップリンクデータとＤＭＲＳとを処理するために異なるフィルタパラメータが使用され得るか、またはアップリンクデータとＤＭＲＳとを処理するために異なるフィルタ動作方法が使用され得るか、または異なるフィルタ効果をもつフィルタが使用され得る。
【０２４０】
端末デバイスによって、第１のフィルタモードを使用することによって、送信されるべきデータ上で周波数領域スペクトル整形ＦＤＳＳ処理を実行することと、第２のフィルタモードを使用することによって復調基準信号上でＦＤＳＳ処理を実行することとは、端末デバイスによって、第１のフィルタパラメータを決定することであって、第１のフィルタパラメータは、送信されるべきデータのフィルタパラメータである、決定することと、端末デバイスによって、第１のフィルタパラメータに基づいて第２のフィルタパラメータを決定することであって、第２のフィルタパラメータは復調基準信号のフィルタパラメータであり、第２のフィルタパラメータによって示されるフィルタのロールオフの程度は、第１のフィルタパラメータによって示されるフィルタのロールオフの程度よりも高い、決定することと、端末デバイスによって、第１のフィルタパラメータを使用することによって、送信されるべきデータをフィルタ処理することと、第２のフィルタパラメータを使用することによって復調基準信号をフィルタ処理することとを含む。フィルタパラメータはロールオフファクタであり得る。
【０２４１】
フィルタパラメータはロールオフファクタであり得る。理想フィルタは、実際に達成されることが不可能な、矩形応答曲線を有する。したがって、ロールオフファクタを使用することによって、通過帯域と消去帯域との間の遷移帯域が生成される。ロールオフファクタは、遷移帯域の垂直性、言い換えれば、矩形応答への近似の程度を決定する。たとえば、送信されるべきデータのロールオフファクタは０．５である。送信されるべきデータのロールオフの程度がＤＭＲＳのロールオフの程度よりも高いので、送信されるべきデータのロールオフファクタとＤＭＲＳのロールオフファクタとの間の差が０．３であることがあらかじめ決定される場合、ＤＭＲＳのロールオフファクタは０．５−０．３、すなわち、０．２であることが決定され得る。もちろん、送信されるべきデータのロールオフファクタとＤＭＲＳのロールオフファクタとの間の対応は、上記の例における対応に限定されず、別の形態の対応であり得る。
【０２４２】
フィルタパラメータ、たとえば、送信されるべきデータのロールオフファクタは、基地局によって端末デバイスに通知され得る。
【０２４３】
上記は、信号送信方法について説明している。以下で、添付の図面を参照しながら本出願の実施形態における端末デバイスとネットワークデバイスとについて説明する。
【０２４４】
図２０に示されているように、本出願の実施形態で与えられる端末デバイス８０の実施形態は、
処理モジュール８０１であって、
送信されるべきデータと、アップリンク制御情報と、復調基準信号とを取得することと、
多重化されたシンボルを生成するために、送信されるべきデータと、アップリンク制御情報と、復調基準信号とをマッピングすることであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、マッピングすることと
を行うように構成された処理モジュール８０１と、
物理アップリンク共有チャネル上で、多重化されたシンボルを送信するように構成された送信モジュール８０２と
を含む。
【０２４５】
本出願のこの実施形態では、ＵＣＩがマッピングされる多重化されたシンボルと、ＤＭＲＳがマッピングされる多重化されたシンボルとの間のロケーション関係は、マッピング条件を満たす必要がある。このようにして、ＵＣＩ復調のパフォーマンスが改善され得る。
【０２４６】
任意選択で、Ｎ個の第１の多重化されたシンボルの各々と第２の多重化されたシンボルとの間のロケーション関係はマッピング条件を満たすことは、Ｎ個の第１の多重化されたシンボルは、第２の多重化されたシンボルに最も近い多重化されたシンボルであることを含む。任意選択で、処理モジュール８０１は、
位相トラッキング信号を取得することであって、位相トラッキング信号は、多重化されたシンボルにさらにマッピングされる、取得すること
を行うようにさらに構成され、
Ｎ個の第１の多重化されたシンボルの各々と第２の多重化されたシンボルとの間のロケーション関係はマッピング条件を満たすことは、
Ｎ個の第１の多重化されたシンボルは、位相トラッキング信号がマッピングされ、第２の多重化されたシンボルに最も近い多重化されたシンボルであること
を含む。
【０２４７】
任意選択で、処理モジュール８０１は、
第１の多重化されたシンボルは、複数の変調されたシンボルを含み、複数の変調されたシンボルは、アップリンク制御情報の変調されたシンボルとデータの変調されたシンボルとを含み、データの変調されたシンボルは、送信されるべきデータがマッピングされる変調されたシンボルを含むか、またはデータの変調されたシンボルは、送信されるべきデータがマッピングされる変調されたシンボルと位相トラッキング基準信号がマッピングされる変調されたシンボルとを含み、
多重化されたシンボルがＯＦＤＭシンボルであるとき、アップリンク制御情報の変調されたシンボルは、均一の間隔で複数の変調されたシンボル中に分散される、
ようにさらに構成される。
【０２４８】
任意選択で、処理モジュール８０１は、
送信されるべきデータのための変調方式に基づいてアップリンク制御情報のための変調方式を決定することと、
送信されるべきデータのための変調方式とアップリンク制御情報のための変調方式とに基づいて、送信されるべきデータとアップリンク制御情報とをそれぞれ変調することと
を行うようにさらに構成される。
【０２４９】
任意選択で、多重化されたシンボルがＤＦＴ−ｓ−ＯＦＤＭシンボルである場合、送信されるべきデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されるべきデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【０２５０】
図２１を参照すると、本出願の実施形態で与えられるネットワークデバイス９０の実施形態は、
端末デバイスによって送られた多重化されたシンボルを受信することであって、多重化されたシンボルは、離散フーリエ変換拡散直交周波数分割多重ＤＦＴ−ｓ−ＯＦＤＭシンボルまたは直交周波数分割多重ＯＦＤＭシンボルを含み、Ｎ個の第１の多重化されたシンボルは、第２の多重化されたシンボルの片側または両側に位置し、Ｎ個の第１の多重化されたシンボルの各々と第２の多重化されたシンボルとの間のロケーション関係はマッピング条件を満たし、Ｎは、１以上の整数であり、第１の多重化されたシンボルは、アップリンク制御情報がマッピングされる多重化されたシンボルであり、第２の多重化されたシンボルは、復調基準信号がマッピングされる多重化されたシンボルである、受信することを行うように構成された受信モジュール９０１と、
復調を通して受信モジュール９０１によって受信された多重化されたシンボルから、端末デバイスによって送信されるデータと、アップリンク制御情報と、復調基準信号とを取得するように構成された処理モジュール９０２と
を含む。
【０２５１】
任意選択で、Ｎ個の第１の多重化されたシンボルの各々と第２の多重化されたシンボルとの間のロケーション関係はマッピング条件を満たすことは、
Ｎ個の第１の多重化されたシンボルは、第２の多重化されたシンボルに最も近い多重化されたシンボルであること
を含む。
【０２５２】
任意選択で、Ｎ個の第１の多重化されたシンボルの各々と第２の多重化されたシンボルとの間のロケーション関係はマッピング条件を満たすことは、
Ｎ個の第１の多重化されたシンボルは、位相トラッキング信号がマッピングされ、第２の多重化されたシンボルに最も近い多重化されたシンボルであること
を含み、
処理モジュール９０２は、
復調を通して、多重化されたシンボルから位相トラッキング信号を取得する
ようにさらに構成される。
【０２５３】
任意選択で、処理モジュール９０２は、
送信されたデータのための変調方式に基づいてアップリンク制御情報のための変調方式を決定することと、
送信されたデータのための変調方式に基づいて復調を通して、多重化されたシンボルから、送信されたデータを取得することと、アップリンク制御情報のための変調方式に基づいて復調を通して、第１の多重化されたシンボルから、端末デバイスによって送られたアップリンク制御情報を取得することと
を行うようにさらに構成される。
【０２５４】
任意選択で、多重化されたシンボルがＤＦＴ−ｓ−ＯＦＤＭシンボルである場合、送信されるデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されるデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【０２５５】
上記は、図６に対応する信号送信方法の実施形態に対応する端末デバイスとネットワークデバイスとについて説明している。図２０および図２１を参照しながら、以下で、図１５、図１６、および図１８における信号送信方法の実施形態に対応する端末デバイス８０とネットワークデバイス９０とについてそれぞれ説明する。
【０２５６】
図１５に対応する信号送信方法の実施形態に対応する端末デバイス８０の実施形態は、
処理モジュール８０１であって、
送信されるべきデータと、アップリンク制御情報とを取得することと、
取得された送信されるべきデータのための変調方式に基づいてアップリンク制御情報のための変調方式を決定することと、
送信されるべきデータのための変調方式とアップリンク制御情報のための決定された変調方式とに基づいて、送信されるべきデータとアップリンク制御情報とをそれぞれ変調することと
を行うように構成された処理モジュール８０１と、
物理アップリンク共有チャネル上で、変調モジュールによって変調された送信されるべきデータと制御情報とを送信するように構成された送信モジュール８０２と
を含む。
【０２５７】
任意選択で、多重化されたシンボルがＤＦＴ−ｓ−ＯＦＤＭシンボルである場合、送信されるデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されるデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【０２５８】
図１５に対応する信号送信方法の実施形態に対応するネットワークデバイス９０の実施形態は、
端末デバイスによって送られた変調され送信されたデータとアップリンク制御情報とを受信するように構成された受信モジュール９０１と、
処理モジュール９０２であって、
受信モジュールによって受信された送信されたデータのための変調方式に基づいてアップリンク制御情報のための変調方式を決定することと、
送信されたデータのための変調方式に基づいて、送信されたデータを復調することと、アップリンク制御情報のための決定された変調方式に基づいてアップリンク制御情報を復調することと
を行うように構成された処理モジュール９０２と
を含む。
【０２５９】
任意選択で、多重化されたシンボルがＤＦＴ−ｓ−ＯＦＤＭシンボルである場合、送信されるデータがπ／２  ２位相シフトキーイングＢＰＳＫの方式で変調されるとき、アップリンク制御情報のための変調方式は、π／２ＢＰＳＫであるか、または
多重化されたシンボルがＯＦＤＭシンボルである場合、送信されるデータが直交振幅変調ＱＡＭの方式で変調されるとき、アップリンク制御情報中の第１のタイプの情報のための変調方式は４位相シフトキーイングＱＰＳＫであり、第１のタイプの情報は、ランクインジケータＲＩとハイブリッド自動再送要求ＨＡＲＱ指示とのうちの少なくとも１つを含む。
【０２６０】
図１６に対応する信号送信方法の実施形態に対応する端末デバイス８０の実施形態は、
処理モジュール８０１であって、
送信されるべきデータと復調基準信号とを取得することであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式は、π／２  ２位相シフトキーイングＢＰＳＫ変調である、取得すること
を行うように構成された処理モジュール８０１と、
物理アップリンク共有チャネル上で第１の送信電力で、取得された復調基準信号を送信することと、第２の送信電力で、送信されるべきデータを送信することとを行うように構成された送信モジュール８０２であって、第１の送信電力と第２の送信電力との間にオフセットがある、送信モジュール８０２と
を含む。
【０２６１】
図１６に対応する信号送信方法の実施形態に対応するネットワークデバイス９０の実施形態は、
端末デバイスによって送信される変調されたデータと変調された復調基準信号とを受信するように構成された受信モジュール９０１であって、送信されるデータと復調基準信号とのために使用される波形は、離散フーリエ変換拡散直交周波数分割多重ＤＦＴ−ｓ−ＯＦＤＭ波形であり、送信されるデータのための変調方式は、π／２  ２位相シフトキーイングＢＰＳＫ変調である、受信モジュール９０１と、
受信モジュール９０１によって受信された送信されたデータと復調基準信号とを復調するように構成された処理モジュール９０２と
を含む。
【０２６２】
図１８に対応する信号送信方法の実施形態に対応する端末デバイス８０の実施形態は、
処理モジュール８０１であって、
送信されるべきデータと復調基準信号とを取得することであって、送信されるべきデータと復調基準信号とのために使用される波形は、離散フーリエ変換拡散直交周波数分割多重ＤＦＴ−ｓ−ＯＦＤＭ波形であり、送信されるべきデータのための変調方式は、π／２  ２位相シフトキーイングＢＰＳＫ変調である、取得することと、
第１のフィルタモードを使用することによって、取得された送信されるべきデータ上で周波数領域スペクトル整形ＦＤＳＳ処理を実行し、第２のフィルタモードを使用することによって復調基準信号上でＦＤＳＳ処理を実行することであって、第１のフィルタモードのロールオフの程度は、第２のフィルタモードのロールオフの程度よりも高い、実行することと
を行うように構成された処理モジュール８０１と、
ＦＤＳＳ処理を実行することによって処理モジュールによって取得された送信されるべきデータと復調基準信号とを物理アップリンク共有チャネル上で送信するように構成された送信モジュール８０２と
を含む。
【０２６３】
任意選択で、処理モジュール８０１は、
第１のフィルタパラメータを決定することであって、第１のフィルタパラメータは、送信されるべきデータのフィルタパラメータである、決定することと、
第１のフィルタパラメータに基づいて第２のフィルタパラメータを決定することであって、第２のフィルタパラメータは、復調基準信号のフィルタパラメータであり、第２のフィルタパラメータによって示されるフィルタのロールオフの程度は、第１のフィルタパラメータによって示されるフィルタのロールオフの程度よりも高い、決定することと、
第１のフィルタパラメータを使用することによって、送信されるべきデータをフィルタ処理することと、第２のフィルタパラメータを使用することによって復調基準信号をフィルタ処理することと
を行うように特に構成される。
【０２６４】
図１８に対応する信号送信方法の実施形態に対応するネットワークデバイス９０の実施形態は、
端末デバイスによって送信されるデータと復調基準信号とを受信するように構成された受信モジュール９０１であって、送信されたデータと復調基準信号とのために使用される波形は、離散フーリエ変換拡散直交周波数分割多重ＤＦＴ−ｓ−ＯＦＤＭ波形であり、送信されたデータのための変調方式は、π／２  ２位相シフトキーイングＢＰＳＫ変調であり、端末デバイスは、第１のフィルタモードを使用することによって、送信されたデータ上で周波数領域スペクトル整形ＦＤＳＳ処理を実行しており、端末デバイスは、第２のフィルタモードを使用することによって復調基準信号上で周波数領域スペクトル整形ＦＤＳＳ処理を実行している、受信モジュール９０１と、
送信されたデータと復調基準信号とを復調するように構成された処理モジュール９０２と
を含む。
【０２６５】
端末デバイス８０中の処理モジュール８０１と、ネットワークデバイス９０中の処理モジュール９０２とはそれぞれ、図２および図３に示されている端末デバイス中のプロセッサ、コントローラ、マルチプレクサ、マッパー、ＤＦＴプロセッサ、またはＩＦＦＴプロセッサなどの構成要素であり得る。送信モジュール８０２と受信モジュール９０１とはそれぞれ、図２および図３に示されているアンテナであり得る。
【０２６６】
本出願の信号送信処理における図２に示されている端末デバイスとネットワークデバイスとの構成要素の機能を理解するのを助けるために、以下で、例として端末デバイスを使用することによって図２２を参照しながら説明を与える。
【０２６７】
図２２は、本出願の実施形態による端末デバイス１１０の概略構造図である。端末デバイス１１０は、少なくとも１つのプロセッサ１１１０と、メモリ１１５０と、トランシーバ１１３０とを含む。トランシーバは、受信機と送信機とを含み得る。メモリ１１５０は、読取り専用メモリおよび／またはランダムアクセスメモリを含み、プロセッサ１１１０に動作命令とデータとを与え得る。メモリ１１５０の一部は、不揮発性ランダムアクセスメモリ（ＮＶＲＡＭ）をさらに含み得る。
【０２６８】
いくつかの実装では、メモリ１１５０は、実行可能モジュールもしくはデータ構造、またはそれのサブセット、またはそれの拡張セットという要素を記憶する。
【０２６９】
本出願のこの実施形態では、メモリ１１５０に記憶された動作命令（動作命令はオペレーティングシステム上に記憶され得る）が、対応する動作を実行するために呼び出される。プロセッサ１１１０は、端末デバイス１１０の動作を制御し、プロセッサ１１１０はＣＰＵ（Ｃｅｎｔｒａｌ  Ｐｒｏｃｅｓｓｉｎｇ  Ｕｎｉｔ、中央処理ユニット）と呼ばれることもある。メモリ１１５０は、読取り専用メモリとランダムアクセスメモリとを含み、プロセッサ１１１０に命令とデータとを与え得る。メモリ１１５０の一部は、不揮発性ランダムアクセスメモリ（ＮＶＲＡＭ）をさらに含み得る。特定の適用例では、端末デバイス１１０の構成要素は、バスシステム１１２０を使用することによって互いに結合される。データバスに加えて、バスシステム１１２０は、電力バス、制御バス、ステータス信号バスなどを含み得る。しかしながら、説明の明快のために、図中の様々なタイプのバスはバスシステム１１２０としてマークされる。
【０２７０】
本出願の上記の実施形態で開示される方法は、プロセッサ１１１０に適用されるか、またはプロセッサ１１１０によって実装され得る。プロセッサ１１１０は集積回路チップであり得、信号処理能力を有する。実装処理において、上記の方法におけるステップは、プロセッサ１１１０中のハードウェア組込み論理回路を使用することによって、またはソフトウェアの形態の命令を使用することによって実装され得る。プロセッサ１１１０は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、または個別ハードウェア構成要素であり得る。プロセッサは、本出願の実施形態で開示される方法、ステップ、および論理ブロック図を実装または実行し得る。汎用プロセッサはマイクロプロセッサであり得るか、またはプロセッサは任意の従来のプロセッサなどであり得る。本出願の実施形態に関して開示される方法のステップは、ハードウェア復号プロセッサを使用することによって直接実行され、達成され得るか、または復号プロセッサ中のハードウェアとソフトウェアモジュールとの組合せを使用することによって実行され、達成され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ１１５０中に位置する。メモリ１１５０は、物理的に独立したユニットであり得るか、またはプロセッサ１１１０と一体化され得る。プロセッサ１１１０は、メモリ１１５０から情報を読み取り、プロセッサ１１１０のハードウェアとの組合せで上記の方法のステップを実行する。
【０２７１】
任意選択で、トランシーバ１１３０は、図６から図１８に示されている実施形態における端末デバイスの信号送信ステップを実行するように構成される。
【０２７２】
プロセッサ１１１０は、図６から図１８に示されている実施形態における端末デバイスの信号処理ステップを実行するように構成される。
【０２７３】
ネットワークデバイスの構造も、図２２を参照すると理解され得る。ネットワークデバイス中の対応するトランシーバとプロセッサとは、図６から図１８のネットワークデバイスの対応する受信および処理ステップを実行し得る。
【０２７４】
図２３は、本出願の実施形態によるチップシステム１２０の別の実装の概略構造図である。チップシステム１２０は、少なくとも１つのプロセッサ１２１０と、メモリ１２５０と、通信インターフェース１２３０とを含む。メモリ１２５０は、読取り専用メモリとランダムアクセスメモリとを含み、プロセッサ１２１０に動作命令とデータとを与え得る。メモリ１２５０の一部は、不揮発性ランダムアクセスメモリ（ＮＶＲＡＭ）をさらに含み得る。
【０２７５】
いくつかの実装では、メモリ１２５０は、実行可能モジュールもしくはデータ構造、またはそれのサブセット、またはそれの拡張セットという要素を記憶する。
【０２７６】
本出願のこの実施形態では、メモリ１２５０に記憶された動作命令（動作命令はオペレーティングシステム上に記憶され得る）が、対応する動作を実行するために呼び出される。
【０２７７】
可能な実装では、チップシステムの構造は、ネットワークデバイスによって使用されるチップシステムの構造と同様であるが、異なる装置は、それぞれの機能を実装するために異なるチップシステムを使用する。
【０２７８】
プロセッサ１２１０は、チップシステムの動作を制御し、プロセッサ１２１０はＣＰＵ（Ｃｅｎｔｒａｌ  Ｐｒｏｃｅｓｓｉｎｇ  Ｕｎｉｔ、中央処理ユニット）と呼ばれることもある。メモリ１２５０は、読取り専用メモリとランダムアクセスメモリとを含み、プロセッサ１２１０に命令とデータとを与え得る。メモリ１２５０の一部は、不揮発性ランダムアクセスメモリ（ＮＶＲＡＭ）をさらに含み得る。特定の適用例では、チップシステム１２０の構成要素は、バスシステム１２２０を使用することによって互いに結合される。データバスに加えて、バスシステム１２２０は、電力バス、制御バス、ステータス信号バスなどを含み得る。しかしながら、説明の明快のために、図中の様々なタイプのバスはバスシステム１２２０としてマークされる。
【０２７９】
本出願の上記の実施形態で開示される方法は、プロセッサ１２１０に適用されるか、またはプロセッサ１２１０によって実装され得る。プロセッサ１２１０は集積回路チップであり得、信号処理能力を有する。実装処理において、上記の方法におけるステップは、プロセッサ１２１０中のハードウェア組込み論理回路を使用することによって、またはソフトウェアの形態の命令を使用することによって実装され得る。プロセッサ１２１０は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別ゲートもしくはトランジスタ論理デバイス、または個別ハードウェア構成要素であり得る。プロセッサは、本出願の実施形態で開示される方法、ステップ、および論理ブロック図を実装または実行し得る。汎用プロセッサはマイクロプロセッサであり得るか、またはプロセッサは任意の従来のプロセッサなどであり得る。本出願の実施形態に関して開示される方法のステップは、ハードウェア復号プロセッサを使用することによって直接実行され、達成され得るか、または復号プロセッサ中のハードウェアとソフトウェアモジュールとの組合せを使用することによって実行され、達成され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当技術分野において成熟した記憶媒体中に位置し得る。記憶媒体はメモリ１２５０中に位置する。メモリ１２５０は、物理的に独立したユニットであり得るか、またはプロセッサ１２１０と一体化され得る。プロセッサ１２１０は、メモリ１２５０から情報を読み取り、プロセッサ１２１０のハードウェアとの組合せで上記の方法のステップを実行する。
【０２８０】
任意選択で、通信インターフェース１２３０は、図６から図１８に示されている実施形態におけるチップシステムまたはネットワークデバイス中で信号受信および送信ステップを実行するように構成される。
【０２８１】
プロセッサ１２１０は、図６から図１８に示されている実施形態におけるチップシステムまたはネットワークデバイスの信号処理ステップを実行するように構成される。
【０２８２】
上記の実施形態の全部または一部は、ソフトウェア、ハードウェア、ファームウェア、またはそれらの任意の組合せを使用することによって実装され得る。実施形態を実装するためにソフトウェアが使用されるとき、実施形態の全部または一部は、コンピュータプログラム製品の形態で実装され得る。
【０２８３】
コンピュータプログラム製品は、１つまたは複数のコンピュータ命令を含む。コンピュータプログラム命令がコンピュータ上にロードされ、実行されるとき、本出願の実施形態による手順または機能の全部または一部が生成される。コンピュータは、汎用コンピュータ、専用コンピュータ、コンピュータネットワーク、または別のプログラマブル装置であり得る。コンピュータ命令は、コンピュータ可読記憶媒体に記憶され得るか、またはコンピュータ可読記憶媒体から別のコンピュータ可読記憶媒体に送信され得る。たとえば、コンピュータ命令は、ワイヤード（たとえば、同軸ケーブル、光ファイバー、もしくはデジタル加入者線（ＤＳＬ））方式またはワイヤレス（たとえば、赤外線、無線、もしくはマイクロ波）方式で、ウェブサイト、コンピュータ、サーバ、またはデータセンターから別のウェブサイト、コンピュータ、サーバ、またはデータセンターに送信され得る。コンピュータ可読記憶媒体は、コンピュータ、または１つもしくは複数の使用可能な媒体を統合しているサーバもしくはデータセンターなどのデータ記憶デバイスにとってアクセス可能な任意の使用可能な媒体であり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートドライブ（ＳＳＤ））などであり得る。
【０２８４】
当業者は、本実施形態における方法のステップの全部または一部が、関係するハードウェアに命令するプログラムによって実装され得ることを理解することができる。プログラムはコンピュータ可読記憶媒体に記憶され得る。記憶媒体は、ＲＯＭ、ＲＡＭ、磁気ディスク、光ディスクなどを含み得る。
【０２８５】
上記は、本出願の実施形態において与えられる信号送信方法と、デバイスと、コンピュータ可読記憶媒体と、チップシステムとについて詳細に説明している。本明細書は、特定の例を使用することによって本出願の原理と実装とについて説明している。上記の実施形態の説明は、本出願の方法および核心概念を理解するのを助けるために使用されるにすぎない。加えて、当業者は、本出願の概念に基づいて特定の実装と適用範囲とに変更を行い得る。要約すると、本明細書の内容は、本出願への限定として理解されてはならない。
【図１】
0006985422.tif 000037
【図２】
0006985422.tif 000038
【図３】
0006985422.tif 000039
【図４Ａ】
0006985422.tif 000040
【図４Ｂ】
0006985422.tif 000041
【図４Ｃ】
0006985422.tif 000042
【図５】
0006985422.tif 000043
【図６】
0006985422.tif 000044
【図７】
0006985422.tif 000045
【図８】
0006985422.tif 000046
【図９】
0006985422.tif 000047
【図１０】
0006985422.tif 000048
【図１１】
0006985422.tif 000049
【図１２】
0006985422.tif 000050
【図１３】
0006985422.tif 000051
【図１４】
0006985422.tif 000052
【図１５】
0006985422.tif 000053
【図１６】
0006985422.tif 000054
【図１７】
0006985422.tif 000055
【図１８】
0006985422.tif 000056
【図１９】
0006985422.tif 000057
【図２０】
0006985422.tif 000058
【図２１】
0006985422.tif 000059
【図２２】
0006985422.tif 000060
【図２３】
0006985422.tif 000061